(57)【要約】分離デバイス（１０３）からデータを受け取るデバイスリーダ（１０１）は、ディスプレイ（２０５）と、分離デバイスからデータを受け取る第１のアンテナ（１０５）とを備える。第１のアンテナ（１０５）は、ディスプレイ（２０５）に対するデバイスリーダアンテナ位置を有する。ディスプレイプロセッサ（２０７）は、ディスプレイ（２０５）上に、分離デバイス（１０３）の少なくとも一部の画像を表示する。画像は、分離デバイス（１０３）におけるアンテナ（１０７）の画像内の位置に対応する関連する第１の画像アンテナ位置を有する。画像は、第１の画像アンテナ位置がデバイスリーダアンテナ位置と位置合わせされるように表示される。画像は、分離デバイス（１０３）のカスタマイズされていない画像から、特にサイズや解像度、ピクセルサイズといった、ディスプレイ（２０５）のディスプレイ特性に基づいて、例えば回転、スケーリング及びポジショニングにより決定され得る。アプローチは、例えばＮＦＣ通信のような近距離通信を使用するときに、ユーザがデバイスをデバイスリーダと位置合わせすることを容易にすることができる。
2016528592.tif 000002
【特許請求の範囲】
【請求項１】
分離デバイスからデータを受け取るデバイスリーダであって、当該デバイスリーダは：
ディスプレイと；
前記分離デバイスからデータを受け取る第１のアンテナであって、前記ディスプレイに対してデバイスリーダアンテナ位置を有する第１のアンテナと；
前記ディスプレイ上に、前記分離デバイスの少なくとも一部の第１の画像を表示するディスプレイプロセッサであって、前記第１の画像は、前記分離デバイスにおけるアンテナの前記第１の画像内の位置に対応する関連する第１の画像アンテナ位置を有し、前記ディスプレイプロセッサは、前記第１の画像アンテナ位置が前記デバイスリーダアンテナ位置と位置合わせされるように前記第１の画像を表示するよう適合される、ディスプレイプロセッサと；
を備えるデバイスリーダ。
【請求項２】
前記分離デバイスの少なくとも一部の第２の画像を提供する画像生成器であって、前記第２の画像は、前記分離デバイスにおける前記アンテナの前記第２の画像内の位置に対応する関連する第２の画像アンテナ位置を有する、画像生成器と；
前記デバイスリーダアンテナ位置、前記第２の画像アンテナ位置及び前記ディスプレイのディスプレイプロパティに応じて前記第２の画像から前記第１の画像を生成する、画像プロセッサと；
を更に備える、請求項１に記載のデバイスリーダ。
【請求項３】
当該デバイスリーダと前記分離デバイスとの少なくとも一方の指示をリモートサーバに伝送する、送信機と；
前記リモートサーバから前記第２の画像を受け取る、受信機と；
を更に備える、請求項２に記載のデバイスリーダ。
【請求項４】
当該デバイスリーダと前記分離デバイスとの少なくとも一方の指示をリモートサーバに伝送する、送信機と；
前記リモートサーバから前記第１の画像を受け取る、受信機と；
を更に備える、請求項１に記載のデバイスリーダ。
【請求項５】
前記ディスプレイプロセッサは、当該デバイスリーダの動きとは独立に、前記第１の画像を表示するように適合される、
請求項１に記載のデバイスリーダ。
【請求項６】
前記第１の画像は静止画像である、
請求項１に記載のデバイスリーダ。
【請求項７】
前記第１の画像アンテナ位置と前記デバイスリーダアンテナ位置との間の位置合わせは、当該デバイスリーダの位置及び前記分離デバイスの位置とは独立である、
請求項１に記載のデバイスリーダ。
【請求項８】
前記第１の画像は、前記分離デバイスが当該デバイスリーダの正面に配置されて前記第１の画像アンテナ位置が前記デバイスリーダアンテナ位置と位置合わせされるときに、前記ディスプレイ上に投影される前記分離デバイスの輪郭に対応する、前記分離デバイスの少なくとも一部の輪郭の表現を備える、
請求項１に記載のデバイスリーダ。
【請求項９】
デバイスリーダのディスプレイに表示するための第１の画像を生成する装置であって、前記デバイスリーダは、分離デバイスからデータを受け取る第１のアンテナを更に備え、前記第１のアンテナは、前記第１の画像内に第１の画像アンテナ位置を有し、当該装置は：
前記分離デバイスの少なくとも一部の第２の画像を提供する画像生成器であって、前記第２の画像は、前記分離デバイスにおけるアンテナの前記第２の画像内の位置に対応する関連する第２の画像アンテナ位置を有する、画像生成器と；
前記第１の画像アンテナ位置、前記第２の画像アンテナ位置及び前記ディスプレイのディスプレイプロパティに応じて前記第２の画像から前記第１の画像を生成する、画像プロセッサと；
を備える、装置。
【請求項１０】
前記画像プロセッサは、前記第２の画像アンテナ位置を含む前記第２の画像の一部を含むように前記第１の画像を生成するように適合され、前記第２の画像の前記一部は、前記第１の画像内における前記第１の画像アンテナ位置と前記第２の画像アンテナ位置との間の距離を実質的に最小にするように配置される、
請求項９に記載の装置。
【請求項１１】
前記画像プロセッサは、前記第２の画像の少なくとも一部に画像操作を適用した後、前記第２の画像の前記少なくとも一部を前記第１の画像内に含めるように適合され、前記画像操作は：
変換；
回転；及び
スケーリング；
のグループから選択される、
請求項９に記載の装置。
【請求項１２】
前記ディスプレイプロパティは：
前記ディスプレイのサイズ；
前記ディスプレイのピクセルサイズ；
前記ディスプレイの向き；及び
前記ディスプレイの解像度；
のグループから選択される少なくとも１つのプロパティを備える、
請求項９に記載の装置。
【請求項１３】
当該装置は、前記デバイスリーダとはリモートであり、前記第２の画像を前記デバイスリーダに伝送するように適合される送信機を更に備える、
請求項９に記載の装置。
【請求項１４】
前記デバイスリーダから、前記デバイスリーダの指示を受け取るように適合される受信機を更に備え、前記画像プロセッサは、前記指示に応じて前記ディスプレイプロパティを決定するように適合される、
請求項９に記載の装置。
【請求項１５】
前記デバイスリーダから、前記分離デバイスの指示を受け取るように適合される受信機を更に備え、前記画像生成器は、前記指示に応じて前記第２の画像を生成するように適合される、
請求項９に記載の装置。
【請求項１６】
当該装置は、前記デバイスリーダ内に設けられる、
請求項９に記載の装置。
【請求項１７】
分離デバイスからデータを受け取るように作動可能なデバイスリーダであって、ディスプレイと、前記分離デバイスからデータを受け取り、前記ディスプレイに対するデバイスリーダアンテナ位置を有する第１のアンテナとを備える、デバイスリーダの作動方法であって、当該方法は：
前記ディスプレイ上に、前記分離デバイスの第１の画像を表示するステップ
を備え、前記第１の画像は、前記分離デバイスにおけるアンテナの位置に対応する関連する第１の画像アンテナ位置を有し、前記第１の画像は、前記第１の画像アンテナ位置が前記デバイスリーダアンテナ位置と位置合わせされるように表示される、
方法。
【請求項１８】
デバイスリーダのディスプレイに表示するための第１の画像を生成する方法であって、前記デバイスリーダは、分離デバイスからデータを受け取る第１のアンテナを備え、前記第１のアンテナは、前記第１の画像内に第１の画像アンテナ位置を有し、当該方法は：
前記分離デバイスの少なくとも一部の第２の画像を提供するステップであって、前記第２の画像は、前記分離デバイスにおけるアンテナの前記第２の画像内の位置に対応する関連する第２の画像アンテナ位置を有する、ステップと；
前記第１の画像アンテナ位置、前記第２の画像アンテナ位置及び前記ディスプレイのディスプレイプロパティに応じて前記第２の画像から前記第１の画像を生成するステップと；
を備える、方法。
【請求項１９】
コンピュータ上で実行されると、請求項１５又は１６に記載のステップの全てを実行するように適合される、コンピュータプログラムコード。
【請求項２０】
コンピュータ上で実行されると、請求項１７又は１８に記載のステップの全てを実行するように適合されるコンピュータプログラムコードを備えるコンピュータプログラム。
【発明の詳細な説明】
【技術分野】
【０００１】
本発明は、デバイスリーダ及びデバイスリーダのための画像の生成に関し、限定ではないが、特に、デバイスリーダと、近距離通信を使用する通信のためにデバイスリーダを別のデバイスに位置合わせするための画像に関する。
【背景技術】
【０００２】
電子機器及びデバイスは、ますます多くの様々なアプリケーションで使用される。加えて、消費者デバイスは、ますます他のデバイスと相互に作用するようになり、例えばパーソナル消費者デバイスのようなデバイス間の通信について、そのような相互作用を可能にするよう意欲の向上が生じている。例えばスマートフォンのようなパーソナルコンピュータデバイスの出現により、消費者のパーソナルデバイスが様々な他のデバイスとともに使用されることになり、向上したユーザ経験を提供する。具体的な例として、スマートフォンは、例えば進化した電子歯ブラシと通信して、スマートフォンのディスプレイ上でのユーザへの提示のために利用データをダウンロードすることができる。
【０００３】
多くのそのようなアプリケーションでは、通信は、非常に近距離の範囲の通信リンクの使用を通じて行われ得る。特に、近距離無線通信（ＮＦＣ：Near  Field  Communication）として知られる通信規格が開発されている。ＮＦＣは、デバイス間の非常に近距離の通信を提供するよう設計される。通信は、マスター／スレーブ構成であってよく、あるいは多くのシナリオ及び実施形態では、ピアツーピア通信であってもよい。ＮＦＣは、比較的高いデータレートを許容する。
【０００４】
ＮＦＣは、別のＮＦＣデバイスのごく近接内にあるとき（典型的には１０ｃｍ未満、最も効率的な通信のためには、わずか数センチメートル内にあるとき）にのみデータの転送が可能であるという点において、他の無線接続規格とは異なる。データは、最大４２kbit（キロビット）／秒までのデータレートで交換され得る。これは、下記のものを含め、従来のデータ通信アプローチに対して幾つかの明らかな利点を与える：
デバイスを合わせるという動作が接続を有効にするだけでなく、２つのデバイスが接続されていることも明確にするので、他のデバイスとの直感的接続。  
他の接続デバイスが近接しなければならないので、改善されるセキュリテイとプライバシー。
【０００５】
例えばユーザインタフェース（特に大きなディスプレイ）を提供するための適切な手段を有することができる外部演算デバイスへデータを転送することにより、改善されたユーザ対話が得られる。
【０００６】
例えば歯ブラシでは、ブラッシングの動作（brushing  activity）のレコードを外部に保持できるようにし、ブラッシングを改善するためにやる気及び分析の機会を提供することができる。
【０００７】
スマートフォンは、ますますユビキタスになっており、見慣れたユーザインタフェース及び外の世界との優れた接続性からの利点がある。ますます、これらのデバイスは、ユーザの日課の一部になってきており、人々はますます、これらのデバイスをいつも手の近くに持つようになる。
【０００８】
スマートフォンや歯ブラシのようなデバイスで、ＮＦＣのような近距離通信機能を有効にすることは、これらのデバイスを密接に接触させると、これらのデバイスが相互に通信することを可能にする。これは、電話が、例えば外部デバイスをモニタすることができるアプリケーションによって制御されるコンピューティングリソースとして動作することを可能にする。例えば歯ブラシでは、ブラッシングの性能を評価し、ブラッシングの目標を設定し、カスタマイズされたフィードバック及びコーチをユーザに提供すること等ができる。そのような機能は、ユーザが電話と歯ブラシを合わせるという物理的な動作によって有効にされ、結果として、歯磨き用アプリケーション（tooth  brushing  application）が自動的に起動されて、電話上にアプリケーションとして現れる。アプリケーションは、次いでブラッシングデータを分析して、その結果を表示することができる。
【０００９】
２つのデバイス間の通信リンクを確立するためのＮＦＣのような超近距離通信の使用は、実用性を提供し、特に多くの消費者アプリケーションに適したユーザ対話を提供する。特に、消費者の区分では、アプローチは、デバイスを連結する簡単かつ直感的な操作を可能にする。ユーザは、単に２つのデバイスを相互に十分近く接触させればよく、このアクションは、通信リンクが自動的に確立されることを可能にする。例えばブラッシングデータを、電子歯ブラシからスマートフォンへダウンロードするために、ユーザは、歯ブラシとスマートフォンを一緒に接触させるだけでよい。
【００１０】
しかしながら、ＮＦＣのような超近距離の通信技術により、デバイスを正確に合わせることが必要とされ、典型的には、通信リンクの品質、場合によっては通信リンクを確立する能力は、デバイスがどのように合わせられたかに多いに依存する。例えば歯ブラシを間違った方法で回転させることは、実質的に、理想的とは言えないデバイス間の結合が確立されるので、通信リンクを低下させることがある。
【００１１】
しかしながら、通信リンクを最適にするためにデバイスを具体的にどのように合わせるべきかについての詳細な命令をユーザに提供することは、しばしば不便で実用的ではなく、ユーザには複雑で面倒な操作であるように知覚されるであろう。したがって、多くの場合、結果として生じる通信リンクは次善的であり、また実際に多くのシナリオでは、例えばデバイスが相互に接触されているとしても、デバイスが正しく合わせられていないことに起因して、通信リンクが確立されない。多くのシナリオでは、ユーザがその操作は不便で難しいと思う次善的なユーザ経験に到達する。
【００１２】
したがって、改善されたアプローチが有利であり、特に、近距離通信リンクの確立を容易にし、ユーザの利便性と通信品質及び／又は信頼性との間の改善されたトレードオフを提供し、容易にされた操作を提供し、改善された柔軟性を提供し、かつ／又は改善された性能を提供するアプローチが有利であろう。
【発明の概要】
【発明が解決しようとする課題】
【００１３】
したがって、本発明は、好ましくは、上述の不都合点の１つ以上を単独又は任意の組合せで軽減、緩和又は取り除くことを目的とする。
【課題を解決するための手段】
【００１４】
したがって、本発明の態様によると、分離デバイス（separate  device）からデータを受け取るデバイスリーダ（device  reader）が提供される。デバイスリーダは：ディスプレイと；分離デバイスからデータを受け取る第１のアンテナであって、ディスプレイに対してデバイスリーダアンテナ位置を有する第１のアンテナと；ディスプレイ上に、分離デバイスの少なくとも一部の第１の画像を表示するためのディスプレイプロセッサとを備え、第１の画像は、分離デバイスにおけるアンテナの第１の画像内の位置に対応する関連する第１の画像アンテナ位置を有し；ディスプレイプロセッサは、第１の画像アンテナ位置がデバイスリーダアンテナ位置と位置合わせされるよう第１の画像を表示するように適合される。
【００１５】
本発明は、デバイスリーダについて向上したユーザ経験を可能にすることができ、多くの実施形態では、デバイスリーダと分離デバイスとの間で通信リンクを確立するときに、改善されたユーザ経験を提供することができる。例えばＮＦＣ通信を使用してデバイスリーダと分離デバイスとの間で通信リンクを確立するとき、アプローチは、ユーザが容易にデバイスを物理的に位置合わせできるようにする便利なユーザ経験を提供することができる。また、典型的には、物理的なデバイスのより正確な位置合わせを達成することができ、これにより、分離デバイスの向上した読み取りが可能になる。
【００１６】
特に、アプローチは、分離デバイスの画像（の少なくとも一部）をデバイスリーダのディスプレイ上に表示し、物理的な分離デバイスが分離デバイスの画像と位置合わせされるように分離デバイスをディスプレイの上に物理的に配置するよう、ユーザに要求することができる。この結果、分離デバイスのアンテナは、第１の画像アンテナ位置に近くなる。さらに、第１の画像アンテナ位置が第１のアンテナの位置に位置合わせされるように画像が表示されるので、簡単なユーザ操作で、デバイスリーダのアンテナと分離デバイスのアンテナとの正確かつ簡単な位置合わせが達成される。したがって、デバイスリーダは、ユーザを促し、導く操作を提供し、これにより改善された位置合わせを可能にすることができる。さらに、簡単かつ直感的な視覚的方向を使用することにより、ユーザは、簡単かつ容易であるように操作を知覚し、ユーザが操作又は位置合わせの技術的理由を理解しなければならない必要性を回避する。
【００１７】
アプローチの特定の利点は、ＮＦＣアンテナのように、異なる機能をサポートする複数のアンテナを備える分離デバイスのためのものであり得る。そのような実施形態において、アプローチは、デバイスリーダによってサポートされる特有の機能について、ユーザが分離デバイスの適切な部分を選択することを容易にすることができる。例えばスマートフォンは、異なるアプリケーションについて、分離デバイスの異なる部分に対応する異なる画像を提示することができる。したがって、ユーザが起動するアプリケーションに応じて、スマートフォンは、この特有の機能をサポートするアンテナを備える分離デバイスの部分を表示するであろう。
【００１８】
デバイスリーダアンテナ位置と第１の画像アンテナ位置の位置合わせは、特に、これらの位置の間の距離の最小化に相当し得る。最小化は、他の制約又は要件の対象となり得る。一部の実施形態において、デバイスリーダアンテナ位置は、ディスプレイ上の（例えばディスプレイ上の第１のアンテナの中央の投影による）位置であってよい。第１の画像アンテナ位置は、第１のアンテナの第１の画像内の位置であってよい。ディスプレイプロセッサは、第１の画像がディスプレイ上にレンダリングされるときに、第１の画像アンテナ位置が実質的にデバイスリーダアンテナ位置の上に配置されるように、第１の画像を表示することができる。
【００１９】
デバイスリーダは、第１のアンテナと第２のアンテナとの間で確立される通信リンク上でデータを受け取るための通信プロセッサを更に備え得る。
【００２０】
ディスプレイプロセッサは、第１の画像に加えて他の情報を表示してもよい。例えば第１の画像は、例えばユーザにフィードバックを提供するテキスト又はアイコンによってオーバーレイされ得る。一部の実施形態において、ディスプレイプロセッサは、第１の画像の表示と位置合わせされる分離デバイスを配置するようユーザに指示する、ユーザ命令を表示するように適合される。
【００２１】
一部の実施形態において、表示画像は、分離デバイス全体の画像を備え得る。しかしながら、多くの実施形態において、分離デバイスはディスプレイよりも大きいことがあり、第１の画像は、分離デバイスの一部のみを表してもよい。典型的には、表示される部分は、第１の画像アンテナ位置を含むことになり、したがって、分離デバイスが表示画像と位置合わせされるとき、第２のアンテナの位置は典型的に、デバイスリーダに近接することになる。
【００２２】
第１の画像は、分離デバイスの少なくとも一部の視覚的な表現（representation）を提供し得る。第１の画像は、表示されるとき、分離デバイス（の一部）の実際のサイズの表現を提供することがある、すなわち、分離デバイスと表示画像との間のスケールは、典型的に１：１であってよい。多くの実施形態において、第１の画像は、表示画像と同じであり得る、すなわち、ディスプレイの解像度は、第１の画像の解像度と同じであってよく、ディスプレイの各ピクセルは、第１の画像の１つのピクセルに相当し得る。第１の画像は更に、ディスプレイ内のピクセルの物理的なサイズと同じピクセルサイズに関連付けられてよい。
【００２３】
第１の画像は、典型的に静止画像である。ディスプレイプロセッサは、延長された期間（extended  duration）の間、典型的には１、２、５、１０又は３０秒未満の間、第１の画像を表示するように適合され得る。ディスプレイプロセッサは、したがって、第１の画像アンテナ位置がデバイスリーダアンテナ位置と位置合わせされるように、第１の画像を静止画像として提示するよう適合され得る。
【００２４】
ディスプレイプロセッサは、第１の画像を、デバイスリーダ及び／又は分離デバイスの動きとは独立に表示するように適合されてよく、第１の画像は、デバイスリーダ及び／又は分離デバイスの動きとは独立であってよい。したがって、デバイスリーダは、第１の画像アンテナ位置がデバイスリーダアンテナ位置と位置合わせされるように、分離デバイスの少なくとも一部の（半）永続的な画像を提示し得る。
【００２５】
典型的に、第１の画像は、分離デバイスの写真であってよく、そのデバイスの正確な色やマーク等を提供し得る。しかしながら、一部のシナリオでは、分離デバイスの視覚的表現は、例えば輪郭やワイヤモデル表現のような簡略化されたレンダリングであってもよい。一部の実施形態では、第１の画像は、例えば分離デバイスの３次元モデルから生成され得る。一部の実施形態において、第１の画像によって提供される視覚的表現は、テクスチャやマークのような表面特性の表示を含んでもよい。特に分離デバイスは、アンテナの位置を示すマークを含むことがあり、第１の画像は、このマークの表現を含み得る。この表現は、例えばワイヤフレームモデルに含まれるロゴ表示のような、スタイル化された表現であってもよい。
【００２６】
ディスプレイプロセッサは、画像がスケーリングされ、方向付けられ（回転され）かつ／又は配置されて、その結果、デバイスリーダアンテナ位置と第１の画像アンテナ位置が位置合わせされるように、画像を表示するよう適合され得る。
【００２７】
本発明の任意選択の特徴によると、デバイスリーダは：分離デバイスの少なくとも一部の第２の画像を提供する画像生成器であって、第２の画像が、分離デバイスにおけるアンテナの第２の画像内の位置に対応する関連する第２の画像アンテナ位置を有する、画像生成器と；デバイスリーダアンテナ位置、第２の画像アンテナ位置及びディスプレイのディスプレイプロパティに応じて第２の画像から第１の画像を生成する、画像プロセッサと；を更に備える。
【００２８】
これは、多くのシナリオにおいて、有利な動作及び実装を提供することができる。特に、デバイスリーダが適切な画像を決定することを可能にし、外部機能の必要性及び依存度を回避あるいは低減することができる。
【００２９】
画像プロセッサは、第１の画像を生成するとき、第２の画像のスケーリング、回転及び変換のうちの少なくとも１つを行うように適合され得る。
【００３０】
画像生成器は特に、デバイスリーダと分離デバイスとの特定の組合せに対してカスタマイズされていない第２の画像を提供することができる。例えば分離デバイスの標準の写真が画像生成器によって提供されてもよい。例えば画像生成器は、分離デバイスの標準の画像をこの画像内で第２のアンテナがある場所の指示と一緒に格納する、すなわち、格納される位置と一緒に格納する、画像ストアを備えることができる。画像プロセッサは次いで、その標準の画像を、デバイスリーダと分離デバイスの特定の組合せに対してカスタマイズすることができる。
【００３１】
したがって、多くの実施形態において、第２の画像は、デバイスリーダと分離デバイスとの組合せに対してカスタマイズされていない（したがって、これらのうちの少なくとも１つと独立に生成され得る）画像であってよく、一方、第１の画像は、デバイスリーダと分離デバイスとの組合せに対してカスタマイズされ得る。
【００３２】
ディスプレイプロセッサは特に、第２の画像内の第２の画像アンテナ位置が最終的に、第１の画像がディスプレイ上で表示されるときにデバイスリーダアンテナ位置と位置合わせされることになる第１の画像内の第１の画像アンテナ位置になるように、第２の画像から第１の画像を生成することができる。多くの実施形態において、第１の画像アンテナ位置は、ディスプレイ上のデバイスリーダアンテナ位置に対応する第１の画像内の位置であり得る。
【００３３】
ディスプレイプロセッサは、多くの実施形態において、第１の画像がディスプレイ上で表示されるときに分離デバイスの表示が実物大になるように、第２の画像から第１の画像を生成する。
【００３４】
本発明の任意選択の特徴によると、デバイスリーダは：当該デバイスリーダと分離デバイスとの少なくとも一方の指示をリモートサーバに伝送する送信機と；リモートサーバから第２の画像を受け取る受信機と；を更に備える。
【００３５】
これは、多くの実施形態において、向上した実装及び／又は円滑な実装を提供することができる。例えばデバイスリーダと分離デバイスの特定の組合せについて局所的にカスタマイズすることができる、適切な画像を取得する効果的なアプローチを提供することができる。
【００３６】
本発明の任意選択の特徴によると、デバイスは：デバイスリーダと分離デバイスとの少なくとも一方の指示をリモートサーバに伝送する送信機と；リモートサーバから第１の画像を受け取る受信機と；を更に備える。
【００３７】
これは、多くの実施形態において、向上した性能及び／又は円滑な実装を提供することができる。例えばデバイスリーダと分離デバイスの特定の組合せについて局所的にカスタマイズする必要のない適切な画像を取得する効果的なアプローチを提供することができる。実際、一部の実施形態では、リモートサーバは、ディスプレイにおける直接的な提示に適した画像を直接提供することができる。
【００３８】
例えばデバイスリーダは、デバイスリーダ及び／又は分離デバイスのタイプ又はモデルの識別データを伝送することができる。このデータを受信したことに応答して、リモートサーバは、デバイスリーダのディスプレイ上における直接的な提示に適した画像であって、したがって、表示されると、第１の画像アンテナ位置とデバイスリーダアンテナ位置との位置合わせを提供することになる画像を、生成することができる。例えばディスプレイの解像度で、適切に配置及び回転された、分離デバイス（の一部）の写真を用いた画像が、リモートサーバによって提供され得る。デバイスリーダは、例えばいかなるローカルカスタマイズ又は画像処理も行うことなく、この画像を直接表示することができる。ユーザが、分離デバイスを提示画像と位置合わせする場合、これにより、第１のアンテナと第２のアンテナとの位置合わせが生じる。
【００３９】
本発明の任意選択の特徴によると、第１のアンテナは、近距離無線通信、すなわちＮＦＣアンテナであり、装置は、第１のアンテナを使用してＮＦＣ通信によって分離デバイスからデータを受け取る通信プロセッサを備える。
【００４０】
このアプローチは、アンテナを相互に非常に近くに配置することを要するＮＦＣ通信を確立するときに、大いに改善されるユーザ経験を提供することができる。
【００４１】
本発明の任意選択の特徴によると、ディスプレイプロセッサは、分離デバイスの存在の検出に応答して、ディスプレイ上に第１の画像を表示するように適合される。
【００４２】
これは、特に効果的な操作及び非常に魅力的なユーザ経験を提供することができる。検出は、特に、アンテナを使用する無線リンク上の分離デバイスの検出であってよい。例えばデバイスリーダは、ＮＦＣリンク上で分離デバイスからデータを読み取るように適合されてよく、分離デバイスの存在の検出は、分離デバイスのＮＦＣ機能の存在の検出によるものであってよい。
【００４３】
本発明の任意選択の特徴によると、第１の画像は、デバイスリーダが、分離デバイスの正面に配置され、第１の画像アンテナ位置がデバイスリーダアンテナ位置と位置合わせされるときに、デバイスリーダによって塞がれる（閉鎖される）（occlude）ことになる、分離デバイスの少なくとも一部の表示を備える。
【００４４】
これは、多くの実施形態及びシナリオにおいて有利な操作を提供することができる。特に、分離デバイスがデバイスリーダより大きい多くのシナリオにおいて有利な操作を提供することができる。実際、多くの実施形態において、分離デバイスの正面のデバイスリーダとの通信リンクを確立するようユーザにガイドすることは、提示画像にとって有利であり得る。例えばデバイスリーダと分離デバイスが最適に位置合わせされるときに塞がれ得る特徴を提示することにより、ユーザを、そのような最適な位置合わせへとガイドすることができる。特に、これらの閉鎖された特徴の提示により、ユーザに、ディスプレイ上に提示された画像によって分離デバイスの閉鎖された部分を埋めることにより、分離デバイスの視覚的印象を視覚的に完成させるようにすることになる。分離デバイスの正面にあるデバイスリーダで達成される位置合わせは、ユーザへの命令のような情報の提供を可能又は容易にすることもできる。
【００４５】
デバイスリーダは、特に、分離デバイスがデバイスリーダのディスプレイの一部を塞がない、かつ／又はデバイスリーダが、ディスプレイを見るのに適した視点からデバイスの一部を塞ぐとき、分離デバイスの正面にあってよい。実際、ディスプレイは平面を定義することができる。デバイスリーダが、平面の、ディスプレイが光を放射しない側のボリューム内に配置されるとき、デバイスリーダは、分離デバイスの正面であってよい。分離デバイスが、ディスプレイによって形成／定義される平面の後ろのボリューム内にあるとき、デバイスリーダが分離デバイスの正面であってよい。
【００４６】
第１の画像アンテナ位置とデバイスリーダアンテナ位置の位置合わせは、表示される第１の画像と分離デバイスの位置合わせに相当し得る。
【００４７】
本発明の任意選択の特徴によると、第１の画像は、分離デバイスがデバイスリーダの正面に配置されて、第１の画像アンテナ位置がデバイスリーダアンテナ位置と位置合わせされるときに、ディスプレイ上に投影される分離デバイスの輪郭に対応する、分離デバイスの少なくとも一部の輪郭の表示、又は、分離デバイスの上記少なくとも一部の画像を備える。
【００４８】
これは、多くの実施形態及びシナリオにおいて有利な操作を提供することができる。特に、分離デバイスがデバイスリーダよりも小さい多くのシナリオにおいて、有利な操作を提供することができる。実際、多くの実施形態において、デバイスリーダの正面にある分離デバイスとの通信リンクを確立するようユーザをガイドすることは、提示画像について有利であり得る。デバイスリーダと分離デバイスが最適に位置合わせされるときに対応する輪郭情報を提示することにより、ユーザを、そのような最適な位置合わせへとガイドすることができる。特に、ユーザは、分離デバイスのエッジを、表示された輪郭に合致させようとすることができる。
【００４９】
分離デバイスは、特に、分離デバイスがデバイスリーダのディスプレイの一部を塞ぐとき、かつ／又はデバイスリーダが、ディスプレイを見るのに適した視点からデバイスの一部を塞ぐとき、デバイスリーダの正面であってよい。実際、ディスプレイは平面を定義することができる。分離デバイスは、平面の、ディスプレイが光を放射する側のボリューム内に配置されるとき、デバイスリーダの正面であってよい。分離デバイスが、ディスプレイによって形成／定義する平面の後ろのボリューム内にあるとき、分離デバイスはデバイスリーダの正面であってよい。
【００５０】
第１の画像アンテナ位置とデバイスリーダアンテナ位置の位置合わせは、表示される第１の画像と分離デバイスの位置合わせに相当し得る。
【００５１】
本発明の任意選択の特徴によると、第１の画像は静止画像である。本発明の一部の実施形態によると、ディスプレイプロセッサは、第１の画像を静止画像として表示するように適合される。
【００５２】
特に、第１の画像は、ビデオシーケンス又は動画シーケンスの一部でなくてもよく、ディスプレイプロセッサは、動画シーケンスをレンダリングせず、延長された期間に単一の静止画像を提示することがある。特に、第１の画像は、セットアップされた通信リンクとの関連で提示されてよく、第１の画像は、通信リンクのセットアップが（例えば成功理に、あるいは成功せずに）完了するまで提示され得る。
【００５３】
本発明の任意選択の特徴によると、ディスプレイプロセッサは、第１の画像を、デバイスリーダの動きとは独立に表示するよう適合される。
【００５４】
第１の画像及び第１の画像を表示することは、特に、分離デバイス及び／又はデバイスリーダのいずれかの動き又は位置とは独立であってよい。
【００５５】
第１の画像は、デバイスリーダ及び分離デバイスの所望の相対的位置を反映する、所望の目標シナリオを表すことができる。したがって、提示される第１の画像は、現在の状況又は現在の位置は反映しないが、現在の状態と独立の最終的なゴールを反映することができる。
【００５６】
本発明の任意選択の特徴によると、第１の画像アンテナ位置とデバイリーダスアンテナ位置との間の位置合わせは、当該デバイスリーダの位置及び分離デバイスの位置とは独立である。
【００５７】
本発明の態様によると、デバイスリーダのディスプレイに表示するための第１の画像を生成する装置が提供され、デバイスリーダは、分離デバイスからデータを受け取る第１のアンテナを更に備え、第１のアンテナは、第１の画像内に第１の画像アンテナ位置を有し、装置は：  分離デバイスの少なくとも一部の第２の画像を提供する画像生成器を備え、第２の画像が、分離デバイスにおけるアンテナの第２の画像内の位置に対応する関連する第２の画像アンテナ位置を有し；第１の画像アンテナ位置、第２の画像アンテナ位置及びディスプレイのディスプレイプロパティに応じて第２の画像から第１の画像を生成する、画像プロセッサを備える。
【００５８】
アプローチは、例えばＮＦＣ通信リンクを確立するために、デバイスリーダと分離デバイスの正確な位置合わせを実質的に容易にすることができる、デバイスリーダのための画像を生成することを可能にすることができる。
【００５９】
画像生成器は、特に、デバイスリーダ及び分離デバイスの特定の組合せに対してカスタマイズされない第２の画像を提供することができる。例えば分離デバイスの標準の写真が画像生成器によって提供され得る。例えば画像生成器は、分離デバイスの標準の画像を、第２のアンテナがこの画像内のどこにあるかを示す指示と一緒に、すなわち格納された場所とともに格納する、画像ストアを備え得る。画像プロセッサは次いで、デバイスリーダと分離デバイスの特定の組合せに対して標準の画像をカスタマイズすることができる。
【００６０】
したがって、多くの実施形態において、第２の画像は、デバイスリーダと分離デバイスの組合せに対してカスタマイズされない（したがって、これらのうちの少なくとも一方と独立に生成され得る）画像であり、一方、第１の画像は、デバイスリーダと分離デバイスの組合せに対してカスタマイズされ得る。
【００６１】
ディスプレイプロセッサは、特に、第２の画像内の第２の画像アンテナ位置が、第１の画像アンテナ位置で第１の画像内に配置されるように、第２の画像から第１の画像を生成することができる。多くの実施形態において、第２の画像アンテナ位置は、第２の画像内のアンテナの実際の位置であってよく、第１の画像位置は、第１の画像内のアンテナについての対応する目標位置であってよく、ここで、目標位置は、第１の画像内のデバイスリーダのアンテナの位置に対応する。
【００６２】
ディスプレイプロセッサは、多くの実施形態において、第１の画像がディスプレイ上で表示されるときに分離デバイスの表示が実物大となるように、第２の画像から第１の画像を生成することができる。
【００６３】
第１の画像アンテナ位置は、第１の画像がデバイスリーダのディスプレイ上で提示されるときの第１の画像内のデバイスリーダのアンテナの位置であってよい。
【００６４】
画像生成器及び／又は画像プロセッサは、デバイスリーダ自体（内に設けられ得る）の一部であってよく、あるいは例えばリモートサーバの一部であってもよい。
【００６５】
本発明の任意選択の特徴によると、画像プロセッサは、第２の画像アンテナ位置を含む第２の画像の一部を含むように第１の画像を生成するように適合され、第２の画像の一部は、第１の画像内における第１の画像アンテナ位置と第２の画像アンテナ位置との間の距離が実質的に最小になるように配置される。
【００６６】
これは、多くの実施形態及びシナリオにおいて、改善された位置合わせを可能にすることができる。
【００６７】
本発明の任意選択の特徴によると、画像プロセッサは、第２の画像の少なくとも一部に画像操作を適用した後、第２の画像の少なくとも一部を第１の画像内に含めるように適合され、画像操作は、変換；回転；及びスケーリング；のグループから選択される。
【００６８】
これは、多くの実施形態において第１の画像の特に有利な生成を提供することができる。
【００６９】
本発明の任意選択の特徴によると、ディスプレイプロパティは：ディスプレイのサイズ；ディスプレイのピクセルサイズ；ディスプレイの向き；及びディスプレイの解像度；のグループから選択される、少なくとも１つのプロパティを備える。
【００７０】
これは、多くの実施形態において第１の画像の特に有利な生成を提供することができる。
【００７１】
本発明の任意選択の特徴によると、装置はデバイスリーダとはリモートであり、装置は、第２の画像をデバイスリーダに伝送するように適合される送信機を更に備える。
【００７２】
これは、多くの実施形態において、向上した性能及び／又は円滑な実装を提供することができる。例えばデバイスリーダと分離デバイスの特定の組合せについて局所的にカスタマイズする必要のない適切な画像を取得するための効果的なアプローチを提供することができる。実際、一部の実施形態において、リモートサーバは、ディスプレイにおける直接的な提示に適した画像を直接提供することができる。
【００７３】
装置は、デバイスリーダとはリモートであり、画像生成器及び画像プロセッサのいずれも、デバイスリーダ自体の一部ではない（その中に設けられていない）。デバイスリーダ及びリモート装置は、例えばインターネットを含む通信ネットワークを介して、相互に通信することができる。
【００７４】
本発明の任意選択の特徴によると、装置は、デバイスリーダから、デバイスリーダの指示を受け取るように適合される受信機を更に備え；画像プロセッサは、その指示に応じてディスプレイプロパティを決定するように適合される。
【００７５】
これは、多くの実施形態において、向上した性能及び／又は円滑な実装を可能にすることができる。
【００７６】
一部の実施形態において、装置は、第１のデバイスから、ディスプレイプロパティの指示を受け取るように適合される受信機を更に備え；画像プロセッサは、その指示に応じてディスプレイプロパティを決定するよう適合される。
【００７７】
これは、多くの実施形態において、向上した性能及び／又は円滑な実装を可能にすることができる。
【００７８】
本発明の任意選択の特徴によると、装置は、デバイスリーダから、分離デバイスの指示を受け取るように適合される受信機を更に備え、画像生成器は、その指示に応じて第２の画像を生成するように適合される。
【００７９】
これは、多くの実施形態において、向上した性能及び／又は円滑な実装を可能にすることができる。
【００８０】
本発明の任意選択の特徴によると、装置は、デバイスリーダ内に設けられる。
【００８１】
これは、多くの実施形態において、向上した性能及び／又は円滑な実装を可能にすることができる。特に、デバイスリーダが、適切な画像を決定することを可能にすることができ、外部機能に対する必要性及び依存性を回避又は軽減することができる。
【００８２】
本発明の態様によると、分離デバイスからデータを受け取るように作動可能なデバイスリーダであって、ディスプレイと、分離デバイスからデータを受け取り、ディスプレイとの関連でデバイスリーダアンテナ位置を有する第１のアンテナとを備えるデバイスリーダの作動方法が提供され、当該方法は：ディスプレイ上に、分離デバイスの第１の画像を表示するステップを備え、第１の画像は、分離デバイスにおけるアンテナの位置に対応する関連する第１の画像アンテナ位置を有し、第１の画像は、第１の画像アンテナ位置がデバイスリーダアンテナ位置と位置合わせされるように表示される。
【００８３】
本発明の態様によると、デバイスリーダのディスプレイに表示するための第１の画像を生成する方法が提供され、デバイスリーダは、分離デバイスからデータを受け取る第１のアンテナを備え、第１のアンテナは、第１の画像内に第１の画像アンテナ位置を有し；当該方法は：  分離デバイスの少なくとも一部の第２の画像を提供するステップを備え、第２の画像は、分離デバイスにおけるアンテナの第２の画像内の位置に対応する関連する第２の画像アンテナ位置を有し；第１の画像アンテナ位置、第２の画像アンテナ位置及びディスプレイのディスプレイプロパティに応じて第２の画像から第１の画像を生成するステップを備える。
【００８４】
本発明のこれら及び他の態様、特徴及び利点は、以下に説明される実施形態から明らかになり、これらの実施形態との関連で解明されるであろう。
【図面の簡単な説明】
【００８５】
本発明の実施形態は、単に例として、図面との関連で説明される。
【図１】無線近距離通信リンクを介して分離デバイスを読み取るデバイスリーダを備えるシステムの例を示す図である。
【図２】本発明の一部の実施形態に係る、デバイスリーダの要素の例を示す図である。
【図３】本発明の一部の実施形態に係る、分離デバイスとデバイスリーダのユーザの位置合わせの例を示す図である。
【図４】本発明の一部の実施形態に係る、分離デバイスとデバイスリーダのユーザの位置合わせの例を示す図である。
【図５】本発明の一部の実施形態に係る、デバイスリーダの要素の例を示す図である。
【図６】本発明の一部の実施形態に係る、デバイスリーダとリモートサーバを備えるシステムの例を示す図である。
【図７】本発明の一部の実施形態に係る、デバイスリーダの要素の例を示す図である。
【図８】本発明の一部の実施形態に係る、サーバの要素の例を示す図である。
【発明を実施するための形態】
【００８６】
以下の説明は、ＮＦＣ通信リンクを介して別個の外部デバイスからデータを読み取るためのデバイスリーダに適用可能な本発明の実施形態に焦点を当てている。しかしながら、認識されるように、本発明は、いずれかの具体的なアプリケーション（適用）又は通信リンクに限定されない。
【００８７】
図１は、デバイスリーダ１０１と、該デバイスリーダ１０１によって読み取られている分離デバイス１０３（すなわち、デバイスリーダ１０１は分離デバイス１０３からデータを受け取る）の例を図示している。デバイスリーダ１０１は、近距離無線通信リンクを介して、特にＮＦＣ通信リンクを介して、分離デバイス１０３からデータを受け取るように適合される。近距離通信をサポートするために、デバイスリーダ１０１は第１のアンテナ１０５を備え、分離デバイス１０３は第２のアンテナ１０７を備える。アンテナ１０５、１０７は、典型的に、適切な基板上に形成される平面コイルのようなインダクタであってよい。
【００８８】
分離デバイス１０３とデバイスリーダ１０１との間の通信は、したがって、２つのアンテナ１０５、１０７が、よって２つのデバイス１０１、１０３が互いに非常に近い（典型的には10cm、あるいは極めて狭い）ときにのみ可能である。実際、デバイスリーダ１０１と分離デバイス１０３との間の通信は、一般に、ユーザが２つのデバイス１０１、１０３を互いに近くに持っていくことによって、典型的には、これらを一緒に「接触させる」ことによって開始される。
【００８９】
例として、デバイスリーダ１０１は、スマートフォンやタブレットといったパーソナルコンピューティングデバイスであってよく、分離デバイス１０３は、歯ブラシのような適切な消費者機器又はデバイスであってよい。このような例では、スマートフォンは、ＮＦＣ通信リンクを介して歯ブラシから利用データを読み取ることができ、このデータが次いで、スマートフォンによって分析され、提示され、あるいは他の方法で使用され得る。利用データのダウンロードは、スマートフォンと歯ブラシを一緒に接触させるという簡単な操作によって開始され、これにより、非常に簡単かつ直感的なユーザ操作及び経験を提供することができる。
【００９０】
しかしながら、通信を最適化するためには、（典型的には、平面コイルのようなインダクタとして実装される）アンテナ間の結合を最適化することが望ましい。実際、一般的には通信経路の長さを最小にすることが望ましく、また多くの実施形態では、アンテナが、従来的な無線周波数アンテナとして機能するのではなく、疎結合される変成器のインダクタとして結合するように、アンテナを一緒に非常に近くに配置することが望ましい。通信リンクの信頼性及び能力は典型的に、アンテナ間の結合に多いに依存し、信頼性のあるＮＦＣ通信にとって、アンテナが相互に数センチメートル以内にあることを要することは、変則的なことではない。
【００９１】
しかしながら、この要件は、ユーザにとって操作を複雑なものにもする。例えば多くのデバイスは、所望の内部アンテナ距離と比べて比較的大きく、したがって、デバイスを単に合わせるだけでは、信頼性のある通信リンクが形成されることを保証することはできない。むしろ、通信リンクの品質は、デバイスをどのように合わせるか、並びにアンテナがデバイス内のどこに配置されるか、ということに厳密に依存することになる。ユーザは典型的にそのような詳細を知らず、したがって、通信リンクが確立されないか低品質なものである可能性がある。
【００９２】
実際、２つのデバイスの一方又は双方が（隠れた）ＮＦＣスポット（すなわち、アンテナ位置）を有する場合、ユーザが、一般に、これらの２つのデバイスを一緒に接触させて、信頼性のある接続を形成することには多くの困難があることがわかっている。ＮＦＣアンテナの位置及びサイズは典型的に、指定のデバイスタイプ、サイズ等に応じて異なる。また、多くのデバイスでは、ＮＦＣアンテナは非常に小さく（例えば時計や歯ブラシの中）、位置は使用ケースによって異なることがある。
【００９３】
デバイスリーダ１０１は、ユーザによる２つのデバイス１０１、１０３の位置合わせを助けるための機能を備え、これは特に、非常に簡単かつ直感的なユーザ操作を使用し、かつデバイスの詳細なプロパティ（デバイスの位置等）についての知識若しくは考慮又は最適化される位置合わせについての知識若しくは考慮をユーザが有することを要さずに、ユーザがデバイス１０１、１０３の最適な位置合わせを達成することを可能にする。
【００９４】
図２は、デバイスリーダ１０１の要素をより詳細に図示する。
【００９５】
デバイスリーダ１０１は、アンテナ１０５（これ以降、第１のアンテナ１０５と称する）を備える。第１のアンテナ１０５はＮＦＣアンテナであり、特に、適切な寸法の平面コイルとして実装され得る。第１のアンテナ１０５は、ＮＦＣ通信プロセッサ２０１に結合され、ＮＦＣ通信プロセッサ２０１は、ＮＦＣ通信を介して分離デバイス１０３からデータを受け取るように適合される。通信は、（ＮＦＣを使用してＲＦＩＤタグを読み取るときのような）マスター／スレーブ構成であるか、あるいは多くのシナリオ及び実施形態では、ピアツーピア通信であってよい。したがって、ＮＦＣ通信プロセッサ２０１は、必要に応じて、ピアツーピア通信又は一方向のマスター／スレーブ構成をサポートするように適合され得る。
【００９６】
デバイスリーダ１０１は、また、デバイスの大多数の機能を実装するように適合されるデバイスコントローラ２０３も備える。例えばデバイスコントローラ２０３は、個々の実施形態及び適用に必要又は望まれるように、アプリケーションを実行し、デバイスリーダ１０１の動作を制御すること等ができる。
【００９７】
特に、デバイスコントローラ２０３は、分離デバイス１０３からのデータを、通信プロセッサ２０１から受け取り、このデータを処理及び分析して、ユーザフィードバックを提供することができる。例えば分離デバイス１０３が歯ブラシである例において、デバイスコントローラ２０３は、例えば平均歯磨き回数を計算し、これらをユーザに提示することができる。
【００９８】
デバイスリーダ１０１は、ディスプレイ２０５を更に備える。ディスプレイ２０５は、デバイス上に配置され、例えばデバイスリーダ１０１の一面（one  side）上に配置されてよい。例えばデバイスリーダ１０１がスマートフォンである例において、デバイスリーダ１０１の一面の大部分は、ディスプレイ２０５によって占められ得る。
【００９９】
ディスプレイ２０５は、ディスプレイプロセッサ２０７に結合され、ディスプレイプロセッサ２０７は、ディスプレイ２０５を駆動して様々な表示画像を提示するよう動作可能である。ディスプレイプロセッサ２０７は、要求された画像を提示するよう、ディスプレイプロセッサ２０７を制御することが可能なデバイスコントローラ２０３に結合される。特に、ディスプレイプロセッサ２０７は、静止画像を（時々）ディスプレイ２０５上に提示するように適合され得る。
【０１００】
第１のアンテナ１０５及びディスプレイ２０５は、デバイスリーダ１０１の一部であり、一例では、その双方が、デバイスリーダ１０１を形成する筐体内又はその筐体の表面上に配置される。第１のアンテナ１０５は、したがって、ディスプレイ２０５に対する位置を有する。この位置を、デバイスリーダアンテナ位置と呼ぶことにする。一部の実施形態において、デバイスリーダアンテナ位置は、（例えばディスプレイ上の基準ポイントに対する）３次元の位置と考えることができるが、多くの実施形態では、この位置は、例えば第１のアンテナ１０５（の中心）に最も近いディスプレイのポイント又はピクセルの画像位置のような、２次元の位置と考えられ得る。
【０１０１】
図２のシステムでは、ディスプレイプロセッサ２０７は、デバイスのユーザ位置合わせをサポートするために、分離デバイス１０３の静止画像をディスプレイ２０５上に表示するように適合される。この画像は、一部の実施形態では、分離デバイス１０３の全体の画像であってよいが、大部分の実施形態又はシナリオでは、分離デバイス１０３の一部の画像であろう。以下では、表示される画像を、第１の画像と呼ぶことにする。
【０１０２】
分離デバイス１０３は、第２のアンテナ１０７を、典型的には内部に備えるが、場合によっては分離デバイス１０３の表面上又は表面の近くに備える。第２のアンテナ１０７は典型的に、分離デバイス１０３のサイズと比べると比較的小さい。第２のアンテナ１０７は、分離デバイス１０３の画像内（すなわち、第１の画像内）の位置に関連付けられ、この位置は、第１の画像アンテナ位置と呼ばれる。したがって、第１の画像アンテナ位置は典型的に、分離デバイス１０３（の少なくとも一部）の第１の画像内の位置に対応し、この位置は、分離デバイス１０３の他の部分が透過的であった場合にアンテナ１０７が見えたであろう位置である。第１の画像アンテナ位置は典型的に、第１の画像の視野から第２のアンテナ１０７の中央への視線内に入る第１の画像内のポイントに対応し得る。
【０１０３】
第１の画像アンテナ位置は、したがって、第２のアンテナ１０７の位置、すなわち、分離デバイス１０３内のアンテナの位置を表す。この画像位置は、したがって、第１の画像内の固定の位置である。実際、第２のアンテナ１０７の位置が、分離デバイス１０３内で固定され、第１の画像アンテナ位置に対応する表示位置も固定の変化しない位置であるので、分離デバイス内の第２のアンテナ１０７の位置に対応する、第１の画像内の特定の画像位置が存在する。第１の画像アンテナ位置は、特に、例えば第１の画像内の（例えば第１の画像の角に対する）（２次元の）画像又はピクセル座標として与えられ得る。したがって、特に、第１の画像アンテナ位置は、画像内の特定の固定の画像座標であってよい。
【０１０４】
ディスプレイプロセッサ２０７は、第１の画像アンテナ位置が、デバイスリーダアンテナ位置と位置合わせされるように、第１の画像を表示するよう適合される。特に、第１の画像は、第１の画像アンテナ位置が第２のアンテナ位置と実質的に一致するように表示され得る。
【０１０５】
したがって、分離デバイス１０３の静止画像（第１の画像）は、単に直接的に表示されるのではなく、結果として得られる表示画像内では、外部デバイスのアンテナの位置に対応する位置（第１の画像アンテナ位置）が、デバイスリーダ１０１のアンテナの実際の物理的な位置と、すなわち第１のアンテナの位置と位置合わせされるという、固有の制約及び要件で表示される。第１の画像の表示は、第１の画像アンテナ位置のディスプレイ２０５上の結果の物理的位置が、第１のアンテナ１０５の物理的位置と位置合わせされるように行われる。デバイスリーダ１０１は、したがって、分離デバイスのアンテナに対応する画像内の位置が、デバイスリーダ１０１のアンテナの物理的位置と位置合わせされるディスプレイ上の物理的位置で表示されるように、分離デバイス１０３の画像を表示する。特に、第１の画像がどのように表示されるかを制御することにより、分離デバイス１０３のアンテナに対応する画像の位置（第１の画像アンテナ位置）を、デバイスリーダ１０１内のアンテナの物理的位置のできるだけ近くに配置することができる。
【０１０６】
多くの実施形態において、位置合わせは、（例えばディスプレイ上に投影され、デバイスリーダアンテナ位置に対応するような）第１のアンテナ１０５の位置と、レンダリングされる画像内の第１の画像アンテナ位置との間の距離が最小になるように、画像を回転、スケーリング及び配置することによって達成され得る。実際、多くの実施形態において、位置合わせは、第１の画像アンテナ位置のディスプレイ上の位置と、ディスプレイ上のデバイスリーダアンテナ位置の投影との間の距離が（場合によっては、他の制限又は制約の対象となるか、所与の正確性の程度内で）最小になるように行われる。
【０１０７】
特に、第１の画像の表示は、第１の画像内の第１の画像アンテナ位置が、ディスプレイ２０５上の対応するデバイスリーダアンテナ位置と一致するように行われ得る。対応するデバイスリーダアンテナ位置は、例えばディスプレイ上の（３次元の）デバイスリーダのアンテナ位置の投影（例えばアンテナとディスプレイ２０５との間の最も短い距離に沿った、第１のアンテナ１０５を形成する平面コイルの面に対して垂直の方向に沿った、あるいはディスプレイ２０５の表示面に対して垂直の方向に沿った投影）であってよい。
【０１０８】
その結果、アンテナ間の結合を最適化するために、デバイスを相互に対してどのように配置すべきかについての非常に強力なガイドをユーザに提供するよう、第１の画像が提示される。
【０１０９】
特に、デバイスリーダ１０１に対する分離デバイス１０３の配置を示す、分離デバイス１０３の静止画像が提示され、このような配置は、多くのシナリオにおいて、アンテナ１０５、１０７間の最短距離に直接対応し、したがってこれらのアンテナ間の最大の結合に対応する。したがって、単に静止画像を複製しようとすることにより（すなわち、物理的な分離デバイスを、デバイスの提示される静止画像に合致させることにより）、ユーザは、アンテナ結合を自動的に最適化することになる。実際、提示される静止画像は、互いに対するデバイスの最適な又は所望の配置を反映すると考えられる、すなわち、提示される静止画像は、ユーザのための目標シナリオを表す。ユーザは、直感的かつ自動的に、デバイスのこの目標の配置を達成しようとし、これにより自動的に、実際多くのシナリオではこれに気付くことさえなく、アンテナ１０５、１０７の間の結合を最大にすることができる。実際に、ユーザは、アンテナ間の結合を最大にするタスクを実行していること、アンテナがデバイス内のどこに配置されているか、あるいは実際にデバイス１０１、１０３がアンテナ１０５、１０７を備えていることさえも認識する必要がない。むしろ、ユーザには、ディスプレイ上にピクチャが提示され、直感的にこのピクチャを複製するようとする。したがって、このアプローチは、特有のアプリケーションを有効にする基礎となる技術的特徴及び機能の理解及び知識をほとんど持たない、あるいは全く持たない様々なユーザ及び消費者に非常に適している。
【０１１０】
実際、多くのシナリオでは、第１のアンテナ１０５は、分離デバイス１０３のサイズに比べて非常に小さいものとなり、その結果、これらのデバイス１０１、１０３自体は近くにあるにも関わらず、アンテナ１０５、１０７は離れる可能性があるので、ユーザはこれらのデバイスを単にランダムに一緒に保持するだけでは不十分である。しかしながら、表示される画像は、デバイス１０１、１０３をどのように合わせるべきかについて、非常に簡単で直感的なガイドをユーザに提供する。実際、ディスプレイ２０５上の分離デバイス１０３の画像の提示は、同様のやり方で、自動的かつ無意識に、ユーザに分離デバイス１０３を配置させることになる。したがって、ユーザに命令は提供され得るが、ユーザは典型的には、所望の操作を実行するために、これらを要求することさえないであろう。実際、ユーザは、そのようにすることについてのいかなる知識も持たず、また関連する技術的考慮事項又は特徴についてのいかなる知識も持たずに、デバイス間の結合を最適化することができる。
【０１１１】
一部の実施形態において、第１の画像は、分離デバイス１０３の存在がデバイスリーダ１０１によって検出されるときに、自動的に表示され得る。検出は、例えば通信プロセッサ２０１による分離デバイス１０３のＮＦＣ通信機能の存在の検出であってよい。
【０１１２】
例として、ユーザは歯ブラシからスマートフォンへデータを転送することを望み、したがって、これらのデバイスを合わせ始めることがある。あるポイントにおいて、スマートフォンは、歯ブラシの存在を検出することになり、これに応答して、ＮＦＣアンテナが配置されている歯ブラシの一部の画像を提示することになる。したがって、ユーザは、歯ブラシとスマートフォンを一緒に合わせていると、スマートフォンのディスプレイに突然、歯ブラシの一部の画像が表示されることになるよう経験するだろう。ユーザは続いて、物理的な歯ブラシがディスプレイ上の画像と位置合わせされるように、歯ブラシとスマートフォンを一緒に位置合わせすることになる。そのようにすることによって、ユーザは、自動的に（及び典型的には、これを知る必要なく）ＮＦＣアンテナ間の結合を最適化することになり、したがって、結合を最適化することになる。
【０１１３】
本質的に、ユーザは、分離デバイス１０３をディスプレイ２０５に重なるように（あるいは、ディスプレイを分離デバイス１０３に重なるように）配置することによって、分離デバイス１０３の一部の画像を完成させるというシナリオを経験することになる。この例が図３及び図４に示されている。ディスプレイ上の分離デバイス１０３の一部の画像を見ると、ユーザは、その部分の画像を、物理的な分離デバイス１０３の完全な視覚的画像と合致させようとするであろう。そのようにすることによって、ユーザは、（デバイスリーダ１０１のアンテナ１０５の）デバイスリーダアンテナ位置と、（分離デバイス１０３のアンテナ１０７の）第１の画像アンテナ位置との位置合わせにより、通信リンクを確立することになり、これにより、向上した、より信頼性のあるデータ転送が可能になる。
【０１１４】
図３及び図４は、（スマートフォンの形の）デバイスリーダ１０１が、（歯ブラシの形の）分離デバイス１０３の正面に配置される例を図示しているが、他の実施形態又はシナリオでは、位置合わせは、デバイスリーダ１０１の正面に配置される分離デバイス１０３によって行われてもよいことが認識されよう。実際、（スマートフォンのように）比較的薄い傾向がある多くの実際のデバイスにとって、分離デバイス１０３がディスプレイ／画像の前にあるか、後ろにあるかは重要ではないであろう。
【０１１５】
説明される手法の利点は、デバイスリーダ１０１が分離デバイス１０３の正面にある場合の適用と、分離デバイス１０３がデバイスリーダ１０１の正面にあるというシナリオの双方に用いることができることにあることに留意されたい。デバイスリーダ１０１上における、分離デバイス１０３の単一の静止画像の表示は、この画像が所望の目標のシナリオ又は配置を表す場合、双方のシナリオに適用可能である。実際、多くのシナリオでは、ユーザが分離デバイス１０３をデバイスリーダ１０１の正面に配置する場合と、ユーザが分離デバイス１０３をデバイスリーダ１０１の後ろに配置する場合の双方において、所望の（又は少なくとも受け入れ可能な）位置合わせが、所与のデバイスリーダ１０１及び分離デバイス１０３について起こるであろう。特に、デバイスリーダ１０１が薄いデバイスであるとき、例えば典型的にはモバイルフォンの場合であるが、アンテナの結合は、分離デバイス１０３がデバイスリーダ１０１の一面又は他の面にあるかどうかにはあまり依存しない。したがって、ユーザは単に、分離デバイス１０３を、表示画像に合わせればよく、その結果の操作は、個々のユーザが、分離デバイス１０３をデバイスリーダ１０１の正面にすることを選ぶか、後ろにすることを選ぶかによって、大きく影響されないであろう。
【０１１６】
一部のシナリオでは、好ましくは分離デバイス１０３がデバイスリーダ１０１の正面にある（あるいは、後ろになる）ように、アンテナの一方又は双方が配置され得る。そのようなシナリオでは、ユーザは、例えばデバイスの所望の注文（order）が達成されるように位置合わせを実行するよう指示され得る。命令は、分離デバイス１０３が与えられるマニュアルの命令のように静的に提供され、あるいは、一部の実施形態では、ディスプレイ上に動的に提供され得る。例えば第１の画像を決定することの一部として、デバイスリーダ１０１は、デバイスリーダ１０１の正面にあること又は後ろにあることが分離デバイス１０３にとって重要であるかどうかを判断することができる。重要でない場合、特別な命令は提供されない。しかしながら重要である場合、所望の操作を実行するようユーザに命令が提供され得る。例えば「歯ブラシがディスプレイ上の画像と揃うように、スマートフォンを歯ブラシの正面に配置してください。」というテキストがディスプレイ上に提示され得る。
【０１１７】
アプローチは、実質的に向上したユーザ経験を提供し得る。例えばユーザが物理的な製品をデバイスリーダに接触させる必要があるときはいつでも、物理的な製品の一部を示す画像がデバイスリーダのディスプレイ上に提示される。画像は典型的に、製品の表現が表示されるときに自然のサイズを有するように画像がスケーリングされ、回転され、配置されるよう、そしてディスプレイ上の画像の一部と物理的な製品の外観が、１つの画像に見えるように位置が合うときに、デバイスリーダのＮＦＣアンテナと製品のＮＦＣアンテナとが位置合わせされることになるよう、提示される。実際、多くのアプリケーションにおいて、オンスクリーンの画像部分は、ユーザに対して、完成させる必要のある「パズルのピース」のように見える。画像は、多くのシナリオにおいて、製品と同じ色等を有し、実際に、できるだけ多く物理的なデバイスを合致させるよう選択され得る。
【０１１８】
第１の画像は、特に、分離デバイス１０３の写真、描画（drawing）又は輪郭といった、分離デバイス１０３の全て又は一部の静止画像である。第１の画像は、静止画として表示される、すなわち、ディスプレイ２０５は、分離デバイス１０３（の少なくとも一部）の静止画像を表示するよう駆動される。表示画像は、したがって、ユーザ操作の間にディスプレイ２０５上に表示される、固定の静的な永続的な画像である。特に、通信セットアップが開始されると、ディスプレイプロセッサ２０７は、ディスプレイ２０５上に第１の画像をレンダリングする。レンダリングされた画像はその後、（通信が確立されたことにより成功裏に、あるいは通信セットアップをあきらめたことにより成功せずに）通信セットアップが終了するまで、永続的に表示される。第１の画像は、したがって、処理中に継続的に表示される、固定又は静的な静止画像である。
【０１１９】
ディスプレイ２０５上にレンダリングされる第１の画像は、したがって、延長された時間期間の間表示される、静的な静止画像である。第１の画像は、具体的には、少なくとも１秒間表示され、典型的には更に長く、例えば２、５、１０又は３０秒足らずの間、表示され得る。
【０１２０】
表示される第１の画像は、特に静止画像であり、個々の画像又はビデオシーケンスや動画シーケンスのような画像のシーケンスのフレームではない。むしろ（半）永続的な画像がレンダリングされる。
【０１２１】
表示画像は、所望のシナリオ又は目標のシナリオを表し、デバイスリーダ１０１と分離デバイス１０３との間の現在の関係を反映しない。画像は、したがって、継続的にアップデートされる画像ではなく、むしろ、延長した時間間隔の間、常に提示される同じ静止画像である。特に、画像は、デバイスリーダ１０１又は分離デバイス１０３の位置又は動きに応じて変化しない。実際、アプローチは、表示画像をデバイス１０１と同じままにすること及び／又は分離デバイス１０３を移動させることを利用する。実際、画像は、目標のシナリオ／最終的なゴールを表す一定の画像であり、この画像は、目標の状況を達成するために、ユーザがデバイスリーダ１０１及び／又は分離デバイス１０３を動かす間一定のままである。
【０１２２】
また、第１の画像アンテナ位置と、デバイスリーダアンテナ位置との間の位置合わせは、表示画像について一定であり、この位置合わせは、第１の画像が提示されている限り変化しないことに留意されたい。特に、（表示画像内の）第１の画像位置と、デバイスリーダアンテナ位置との間の位置合わせは、デバイスリーダ１０１及び／又は分離デバイス１０３のいずれかの動き又は位置と独立である。
【０１２３】
むしろ、第１の画像が永続的に表示されるとき、第１の画像アンテナ位置に対応する表示位置も一定である、すなわちディスプレイ２０５上の同じ位置（例えば同じピクセル）が、処理全体を通じて第１の画像アンテナ位置に対応する。第１のアンテナ１０５の位置も一定であるので、全ての位置の間の関係は一定である。特に、分離デバイス１０３又はデバイスリーダ１０１がユーザによって移動されるとき、関連する位置は変化しない。
【０１２４】
多くの実施形態において、第１の画像は、表示されることに先立って生成された所定の画像である、すなわち、第１の画像は典型的に、位置合わせ処理との関連でキャプチャされる画像ではない。
【０１２５】
多くの実施形態において、デバイスリーダ１０１は画像ストアを備えてよく（又は画像ストアはリモートであってよい）、第１の画像は画像ストア内に格納された画像であり得る。そのような例では、第１の画像は、画像ストアから取り出されて、ディスプレイプロセッサによって提示され得る、すなわち、第１の画像は、格納された画像である。多くの実施形態において、分離デバイス１０３の画像は、物理的なデバイスリーダ１０１の実際の写真である。しかしながら、これは本質的ではなく、他の実施形態では、画像は、例えば分離デバイス１０３の輪郭のみを示す描画又は輪郭画像であってよいことが認識されよう。
【０１２６】
デバイスリーダ１０１は、したがって、ＮＦＣを使用してデバイス１０１と製品（分離デバイス１０３）との間の接続を確立するときに、正確な移動を実行するようユーザをガイドする出力を提供するように、作動することができる。
【０１２７】
アプローチは、ＮＦＣ通信を使用するユーザフレンドリなアプリケーションの開発において最も顕著なものの１つとして認識される問題を軽減することができる。すなわち、製品とＮＦＣデバイスリーダを正しいスポットで接触させることは、多くの詳しくないユーザにとってイライラすることであることがわかっている。そのような製品は、ハンドヘルドで、例えば歯ブラシのような比較的小さいか、あるいはエスプレッソマシンのように静的な装置であり得る。ＮＦＣ対応型モバイルフォンで（アンテナが配置される）特有のＮＦＣスポットに接触するように指示するとき、実験では、多くの人が、これを非常にイライラする経験と考えることが示されている。しばしば、人々は、スポットを正確に配置することができず、操作は、しばしば、（製品とデバイスリーダの）２つのアンテナエリアの不一致という結果になる。
【０１２８】
これらの問題が、典型的に幾つかの問題に関連するという更なる調査が公開されている。特に、モバイルデバイスやタブレットのようなモバイルデバイスでは、ＮＦＣエリアの方向、位置及びサイズについて規格がないことがわかっている。さらに、モバイルデバイスのサイズは、例えば小さな画面（例えば３．５インチの画面）を有するスマートフォンから、（例えば最大２０インチの画面の）大きなタブレットまで、大きく異なる可能性がある。製品又はデバイスリーダのサイズに対して、適切なＮＦＣスポットは非常に小さく、これは目標に「当てる（hitting）」ことを難しくする。結合は更に、デバイスの方向及びデバイス内のアンテナに依存し、これは操作を更に煩雑にする。例えばデバイスリーダが製品に次善的角度で接触しているとき、ＮＦＣを介して情報を受信する機会は減少するであろう。また、製品を、例えばモバイルフォンと接触させる操作は、多くの人々にとって通常のことではなく、非従来的なことである。
【０１２９】
ユーザが、製品とデバイスリーダを位置合わせすることにより「画像を完成させる」と、アンテナがほぼ位置合わせされることになるように、製品の画像の一部をディスプレイ上に表示するという、説明したアプローチは、これらの問題の大部分又は全てを解決することがわかっている。さらに、典型的には、特別な技術的操作ではなく、簡単で容易な日常のアクションとして、デバイスを位置合わせするアクションを経験するユーザからの非常に直観的な反応が得られる。実際、このアプローチは実際的に評価されており、デバイスリーダ１０１の操作の結果、非常に自然で容易であると考えられたユーザ経験及び操作が得られることがわかった。また、結果として生じる通信リンクの品質が平均的に、大幅に向上したこともわかった。
【０１３０】
アプローチは、例えばデバイスリーダによって読み取られ得る複数の内部アンテナを有するデバイスについて特に有利な操作を提供することができる。例えば異なるアンテナを使用して、異なる機能を提供するために使用可能なデバイス上の異なる位置を提供することができる。そのようなシナリオでは、分離デバイス１０３によってサポートされる現在のアプリケーションの特有の機能をサポートするアンテナを備える分離デバイスの一部を示すように、画像が選択され得る。
【０１３１】
例えば機器は、スマートフォンが個々のアンテナに近づけられるときに、スマートフォン上の異なる特徴をトリガすることになる多くの内部アンテナを有することがある。例えばコーヒーマシンは、タッチされると、制御ユーザインタフェースを示すことになる制御ＮＦＣスポットを有することがある。加えて、スマートフォン上で診断アプリケーションを開始する異なるＮＦＣスポットを有してもよい。ユーザマニュアルの提示をトリガすることができる第３のＮＦＣスポットを更に有してもよい。説明されるアプローチの利点は、適切なＮＦＣスポットへユーザを明確を向けることができることにある。
【０１３２】
一部の実施形態では、デバイスリーダ１０１自体が、ローカルに格納された情報及びローカルの処理に基づいて、第１の画像を生成してもよい。そのようなデバイスリーダ１０１の例が図５に図示されており、このデバイスリーダ１０１は、第１の画像を作成する機能を有する、図１のデバイスリーダ１０１に対応する。
【０１３３】
図１の例に加えて、図５のデバイスリーダ１０１は、ディスプレイプロセッサ２０７に結合される画像プロセッサ５０１を備える。画像プロセッサ５０１は、画像操作を第２の画像に適用することにより、第２の画像から第１の画像を生成するように適合される。画像プロセッサ５０１は、第２の画像を画像プロセッサ５０１に提供する画像生成器５０３に更に結合される。
【０１３４】
例において、第２の画像は、分離デバイス１０３（の少なくとも一部）の画像であり、この画像は、デバイスリーダ１０１と分離デバイス１０３の特定の組合せに対してカスタマイズされていない。カスタマイズされていない第２の画像から、画像プロセッサ５０１は、デバイスリーダ１０１と分離デバイス１０３の特定の組合せに対してカスタマイズされる第１の画像を生成する。
【０１３５】
第２の画像は、したがって、典型的には、分離デバイス１０３の標準の画像であってよく、この標準の画像は、デバイスリーダ１０１の特有の特性に対してカスタマイズされておらず、特に、デバイスリーダ１０１のディスプレイ特性及びアンテナ位置に対してカスタマイズされていない。特に、第２の画像は、デバイスリーダ１０１とは独立に生成され、様々なデバイスリーダの範囲によって使用可能な分離デバイス１０３のストック画像であってよい。ディスプレイプロセッサ２０７は、第２の画像を適合させることによりデバイスリーダ１０１に対してカスタマイズされる画像として、第１の画像を生成するように適合され得る。
【０１３６】
第２の画像は、対応する第２の画像アンテナ位置を有することになり、この第２の画像アンテナ位置は、分離デバイス１０３内のアンテナ１０７の位置に対応する。この位置は典型的に、第２の画像内の第２のアンテナ１０７のｘ、ｙ位置を指定するメタデータのような、分離位置データとして提供されることになる。ディスプレイプロセッサ２０７は更に、デバイスリーダアンテナ位置を提供する情報を有することになる。例えばＮＦＣ通信を実行するときに、分離デバイスのＮＦＣアンテナの所望の最適な位置に対応するディスプレイ上のｘ、ｙ位置を定義するデータが、ディスプレイプロセッサ２０７内に（例えば製造時に永久的に）格納され得る。
【０１３７】
特に、第１のアンテナ１０５（例えばその中央）に最も近いディスプレイ上の位置が、ディスプレイプロセッサ２０７内に記憶され得る。ディスプレイプロセッサ２０７は続いて、第１の画像がディスプレイ２０５上に表示されるときに第２の画像アンテナ位置がデバイスリーダアンテナ位置と位置合わせされるように、第２の画像の少なくとも一部を含めることによって第１の画像を生成し得る。
【０１３８】
特に、第２の画像の少なくとも一部分は、第２の画像アンテナ位置における第２の画像のその部分が、デバイスリーダアンテナ位置に対応する第１の画像アンテナ位置の上に配置されるように、第１の画像に挿入／コピーされ得る。
【０１３９】
したがって、第２の画像アンテナ位置は、表示のために格納されたｘ、ｙ位置に対応する第１の画像内のｘ、ｙ位置で挿入される。
【０１４０】
第１の画像は、ディスプレイ２０５と同じピクセル寸法を有するように適合され得る。そのような場合、第１の画像アンテナ位置とデバイスリーダアンテナ位置の双方が、ディスプレイのピクセル座標に関して与えられ、第１の画像は特に、第１の画像アンテナ位置がデバイスリーダアンテナ位置と同じピクセル位置であるように表示され得る。デバイスリーダアンテナ位置は、第１の画像内のピクセル座標として記憶されてよく、ディスプレイプロセッサ２０７は、第２の画像についての関連するメタデータによって示される第２の画像アンテナ位置が、デバイスリーダアンテナ位置のピクセル座標によって示されるピクセル位置と一致するように、第２の画像を挿入することができる。
【０１４１】
このアプローチの結果、ユーザが、分離デバイス１０３をディスプレイ上の画像と位置合わせをし始めた場合に、デバイスの位置合わせが望み通りになり、アンテナ１０５、１０７が互いに対して最適な配置となる傾向があるように、第１の画像がユーザに提示され得ることになる。
【０１４２】
多くの実施形態において、ディスプレイプロセッサ２０７は、第１の画像に挿入される第２の画像の一部のスケーリングを実行することができる。実際、ユーザによる操作を容易かつ最適にするために、第１の画像内における分離デバイス１０３の表現は、第１の画像が表示されるときの物理的なデバイス自体と実質的に同じサイズを有するようになる。したがって、ディスプレイプロセッサ２０７は、第２の画像を第１の画像に挿入するときに第２の画像をスケーリングすることができる。スケーリングファクタは、結果として得られるディスプレイ上の表現がほぼ実物大となるようなものであってよい。
【０１４３】
スケーリングファクタの決定は、ディスプレイのピクセルサイズや全体（total）のサイズといった特性の知識から決定してもよい。例えばディスプレイについて、ディスプレイの全体のサイズ及びピクセル解像度がわかることがある。さらに、例えば画像のピクセルサイズや全体のサイズの形で、第２の画像のスケールがわかることがある。次いで、スケーリングは、全ての差分を補正するように決定され得る。例えばスケーリングファクタは、第２の画像のピクセルサイズと第１の画像のピクセルサイズとの間の比として設定され得る。
【０１４４】
したがって、第１の画像は、ディスプレイ上に表示されるときに、分離デバイス１０３の視覚的表現が実質的に（例えば５％以内で）実物大となるように生成される。第２の画像のスケーリングは、したがって、第１の画像の表示の結果が、分離デバイス１０３（の少なくとも一部）の１：１のスケーリングの表現となるように行われる。
【０１４５】
スケーリングは、第２の画像、第１の画像及びディスプレイの特性に関する情報に基づいて決定され得る。例えば第２の画像、第１の画像及びディスプレイについてのピクセル寸法を説明するデータが提供され、使用され得る。
【０１４６】
具体的な例として、第２の画像には、各ピクセルが、例えば0.2mm×0.2mmという物理的な寸法に対応することを示す情報が提供され得る。ディスプレイは、例えば0.1mm×0.1mmという物理的なピクセル寸法を有することがある。第１の画像についての物理的なピクセル寸法が、第１の画像のピクセルと、ディスプレイのピクセルとの間の関係に基づいて計算され得る。多くの実施形態において、第１の画像は、表示画像に直接対応し得る、すなわち正確に同じピクセル解像度を有するように生成され得る。例えばディスプレイ２０５が、1000×1500ピクセルの解像度を有する場合、第１の画像は、直接表示することができる1000×1500ピクセルの画像として生成され得る。また、この場合、第１の画像のピクセルの物理的な寸法は0.1mm×0.1mmである。したがって、第２の画像のスケーリングは、第２の画像の各ピクセルが第１の画像の４つのピクセルに対応するよう行われ、これにより、結果として得られる第１の画像の表示は、分離デバイス１０３の実物大の表現を提供することになる。
【０１４７】
したがって、第２の画像から第１の画像を決定するために、ディスプレイプロセッサ２０７は、表される物理的な寸法に対して、これに関連する第２の画像についての情報を使用してよい。例えば対応するピクセルの物理的サイズ、ピクセル密度（例えばdpi）又は全体の解像度及び物理的な画像エリアが、ディスプレイプロセッサ２０７によって提供され、使用され得る。
【０１４８】
一部の実施形態において、メタデータには、第２の画像の関連する特性を示す第２の画像が提供され得る。さらに、そのようなメタデータは、例えば表面上の特徴的な位置を示す情報を提供することができ、この情報は、例えばより特徴的な文字を提供するように第２の画像を回転させることによって最も良い画像の選択を可能にする。あるいはまた、一部の実施形態では、画像処理によって、例えばドットやエッジのような顕著な特徴を検出することによって、第２の画像内の特定の位置が識別されてもよい。メタデータを使用してそのような情報を明示的に提供することにより、しばしば、より正確な操作を達成することができる。例えば分離デバイスの表面が、容易にエイリアスを生じる反復構造を有する場合、画像処理は、不正確又は曖昧な検出を提供する可能性がある。
【０１４９】
一部の実施形態では、画像処理パラメータが、ユーザ入力に基づいて決定され得る。例えば最初に第２の画像を使用するとき、デバイスリーダ１０１は、画像全体がディスプレイ上に表示されるように第２の画像をスケーリングし得る。ユーザは、次いで、分離デバイス１０３をディスプレイの近くに保持するよう求められ、物理的な分離デバイス１０３と同じサイズになるまで（例えば専用のユーザボタンを使用して、あるいはタッチディスプレイ上のピンチアンドズーム・フィンガー操作を使用して）ディスプレイ上の画像を手動でスケーリングすることがある。デバイスリーダ１０１は、所望の第１の画像アンテナ位置（第１の画像を生成するとき、第１の画像アンテナ位置を、第２の画像アンテナ位置のための目標位置と考えることができる）と、第２の画像アンテナ位置との情報を有する場合、システムは続いて、第１及び第２の画像アンテナ位置が第１の画像内で一致するように、スケーリングした第２の画像を配置することによって、第１の画像を生成し始めることができる。
【０１５０】
一部の実施形態において、位置は、ユーザ入力に基づくものであってもよい。例えば画像をスケーリングした後、ユーザは、（例えば信号強度又はエラーレートから導出される）ＮＦＣ通信リンクの通信品質の指示を提示され、デバイスリーダ１０１及び分離デバイス１０３を相互に対して移動させるよう求められ、そして最適な品質が得られるまでディスプレイ上の画像を動かすことがある。その結果、第２の画像のスケーリング及び位置が、将来の結合操作のために記憶されて使用され、ディスプレイプロセッサ２０７が対応する画像を将来生成することが可能になる。
【０１５１】
そのような実施形態において、ユーザの位置合わせ（並びに例えば分離デバイス１０３とデバイスリーダ１０１との間の将来の位置合わせ）の結果がキャプチャされ得る。結果として得られるデータは、例えばリモートサーバにアップロードされ、ここで記憶され得る。他のデバイスリーダはその後、リモートサーバから情報を取り出し、これを使用して画像を直接カスタマイズし、これにより、これらを個々に較正する必要性を回避することができる。そのような実施形態において、データは、例えば画像自体と一緒にアップロードされ得る。
【０１５２】
また、一部の実施形態において、第２の画像は、デバイスリーダ１０１でローカルに生成され得る。そのような場合、第２の画像は、他のデバイスリーダがアクセスするよう、典型的には調整又は較正データと一緒にリモートサーバにアップロードされ得る。例えばユーザは、例えばデバイスリーダを備えるスマートフォンを使用して、分離デバイスの写真をとることがある。この写真はその後、適切な位置合わせを保証するために、ユーザによって手動で調整され得る。結果として得られる画像及び／又は元の画像が調整データと一緒に、他のデバイスリーダが使用するためリモートサーバにアップロードされ得る。
【０１５３】
一部の実施形態において、写真はリモートサーバへ送信され、次いでリモートサーバが、例えば画像認識等を使用して第１の画像を生成し始めることがある。
【０１５４】
一部の実施形態において、結果として得られる第１の画像を記憶し、将来分離デバイス１０３とのＮＦＣ通信リンクが設定されるときはいつでも直接表示してもよい。
【０１５５】
したがって、アプローチは、デバイスリーダ１０１が、ユーザがデバイスを正確に位置合わせることを助けるのに使用され得る、カスタマイズされた画像を生成することを可能にする。また、適切な画像を提示することができるように、ディスプレイ特性及び（少なくとも相互に対して）アンテナ位置を決定するための効果的なアプローチも提供する。
【０１５６】
一部の実施形態において、ディスプレイプロセッサ２０７は、第２の画像の要素（又は画像全体）を第１の画像に挿入するときに、第２の画像を回転するようにも適合され得る。例えば第２の画像は、最も都合の良い結合を達成する、所望の方向に角度を付けられることがある。
【０１５７】
一部の実施形態及びシナリオにおいて、分離デバイス１０３をデバイスリーダ１０１の正面に配置することにより、ＮＦＣアンテナ１０５、１０７の間のリンクを確立するようユーザをガイドするアプローチが使用され得る。他の実施形態及びシナリオでは、ユーザは、分離デバイス１０３をデバイスリーダ１０１の後ろに配置することにより、ＮＦＣアンテナ間のリンクを確立するようにガイドされ得る。
【０１５８】
後者のケースが、図３及び図４の例により図示されている。このアプローチはしばしば、分離デバイス１０３がデバイスリーダ１０１より（少なくとも一方向において）大きいというシナリオにおいて好ましい。そのような場合、例えば図３及び図４に示されるように、分離デバイス１０３の一部がデバイスリーダ１０１の後ろで可視であり、したがって、デバイスリーダ１０１は（最適な位置合わせが達成されるとき）、分離デバイス１０３の全てではないが、分離デバイス１０３の一部を塞ぐことになる。
【０１５９】
そのような実施形態において、第１の画像は、２つのデバイス１０１、１０３が完全に位置合わせされるときにデバイスリーダ１０１によって塞がれる、分離デバイス１０３の少なくとも一部の表示を備えることができる。したがって、２つのデバイス１０１、１０３が位置合わせされるとき、表示される画像は本質的に、デバイスリーダ１０１による閉鎖により生じる、デバイスの視覚的印象の隙間（gap）を埋めることができる。したがって、ユーザは、デバイスリーダ１０１の塞がれた部分を表示するようディスプレイを位置合わせすることにより、知覚される画像を効果的に完成させることになる。
【０１６０】
したがって、このシナリオでは、ディスプレイは、デバイスの特徴のうちの幾つかの画像を効果的に表し、この場合、示される特徴は、アンテナ１０５、１０７を結合するために望まれるとおりに、デバイスリーダ１０１がユーザによって保持されるときに、デバイスリーダ１０１によってブロック又は閉鎖される特徴である。
【０１６１】
分離デバイス１０３が、少なくとも一方向においてディスプレイ及びデバイスリーダ１０１を超えて伸びるとき、分離デバイス１０３の一部がユーザに可視となり、表示画像は、デバイスのこの部分と合致するように生成される。したがって、画像は、デバイスリーダ１０１及び分離デバイス１０３がそこで正確に位置合わせされるとき、分離デバイス１０３自体により与えられる視覚的印象と、表示画像によって与えられるものとの間のスムースな遷移となるように、生成される。デバイスと、デバイスの表示画像との間の最も良い合致を提供するために、表示画像は、分離デバイス１０３を、実際の分離デバイス１０３と同じ物理的なサイズで提示するよう生成される。
【０１６２】
アプローチは、多くのシナリオで、多くのデバイスにとって有利であり得る。特に、位置合わせを助けることができる、より多くの視覚的情報を分離デバイス１０３のユーザに提供することができる。例えば分離デバイス１０３上に存在し、（例えば図３に図示されるように）デバイス１０１、１０３を位置合わせするのに使用することができる、テクスチャ、表面パターン、ロゴ等を含んでもよい。
【０１６３】
また、アプローチは、ユーザに都合が良いように知覚され得る。アプローチの更なる利点は、ユーザが閉鎖されていない画面を見ることができるので、ディスプレイ２０５を使用してユーザにユーザ情報を提供することもできることである。例えばディスプレイ２０５を同時に使用して、操作命令をユーザへ提供し、あるいはコントロール又はフィードバックをユーザへ提供してもよい。例えば信号強度又は同様の指示を表示して、アンテナ１０５、１０７の間の結合に対する更なる情報を提供することができる。
【０１６４】
ユーザが、分離デバイス１０３をデバイスリーダ１０１の正面に配置するようガイドされる実施形態は、特に、一部のデバイス又はデバイスリーダに適していることがあり、これは、アンテナ１０５、１０７の間のより近い結合を生じることになる。
【０１６５】
アプローチはまた、特に、分離デバイス１０３が、例えばデバイスリーダ１０１よりもかなり小さいというシナリオにおいても適している。例えば分離デバイス１０３がデバイスリーダ１０１よりもかなり小さい場合、デバイスリーダ１０１は、２つのアンテナが位置合わせされると、場合によっては分離デバイス１０３を完全に閉鎖することがある。しかしながら、ディスプレイ２０５が、分離デバイス１０３の一部又は場合によっては全体の表現を表示する場合、これを使用して、表示された表現に合致又は適合するように、分離デバイス１０３をディスプレイ２０５の上に配置することができる。分離デバイス１０３が完全に、デバイスリーダ１０１の境界内にある場合であっても、あるいはディスプレイ２０５の境界内にある場合でさえも、このアプローチを使用することができる。
【０１６６】
そのような実施形態において、第１の画像は、分離デバイス（１０３）の少なくとも一部の輪郭の表現を備えることがある。一部の実施形態において、第１の画像は、例えば適切な線による分離デバイス１０３の輪郭の表現を含むように生成され得る。第１の画像は、デバイスリーダ１０１及び分離デバイス１０３が最適に位置合わせされるとき（したがって、２つのアンテナ位置が位置合わせされるとき）、表示されると、ディスプレイ２０５上の物理的な分離デバイス１０３の輪郭の投影に合致するように生成される。
【０１６７】
したがって、ユーザは、ディスプレイ２０５上で分離デバイス１０３（又はその一部）の完全なサイズの輪郭を見ることになり、続いて、分離デバイス１０３のエッジが表示画像内の輪郭に合致するように、分離デバイス１０３を上に置くことができる。この操作を行うことによって、２つのアンテナ１０５、１０７が位置合わせされることになる。
【０１６８】
一部の実施形態において、表示画像は、分離デバイスの一部の画像、例えば表面の画像を含んでもよい。ユーザは、分離デバイス１０３の視覚的印象が、分離デバイス１０３により閉鎖されるときにディスプレイ２０５により提供されるものに合致するよう、分離デバイス１０３の表示される部分を分離デバイス１０３自体によって閉鎖しようとすることがある。
【０１６９】
多くの実施形態において、デバイスリーダ１０１は潜在的に、広範な分離デバイスとともに使用され得る。例えばスマートフォンは、異なる製造業者の歯ブラシの範囲とともに使用されてよく、あるいはキッチン用機器のように完全に異なるデバイスとともに使用されてもよい。したがって、デバイスリーダ１０１は、多くの実施形態において、異なるＮＦＣセットアップのために異なる画像を表示するように適合され得る。
【０１７０】
多くの実施形態において、ディスプレイプロセッサ２０７は、分離デバイス１０３の特有のアイデンティティ又はタイプの指示に応じて、複数の画像から第２の画像を取り出すように適合され得る。例えば画像生成器５０３は、多くの実施形態において、異なるデバイスの複数の画像を（個々のデバイスの、あるいはデバイスのモデル又はタイプの）アイデンティティデータと一緒に記憶する、画像ストアを備え得る。ディスプレイプロセッサ２０７は、現在ＮＦＣ通信リンクが設定されている分離デバイス１０３に対応する第２の画像を、複数の画像から抽出するよう適合され得る。
【０１７１】
これは、例えば分離デバイス１０３から例えばＮＦＣ通信リンク自体を介して受け取った分離デバイス１０３の指示に応答して行われ得る。例えばデバイスリーダ１０１は、分離デバイス１０３の存在を検出すると、分離デバイス１０３を読み取って、これはどの特有のデバイスであるかを決定しようとする。成功した場合、ディスプレイプロセッサ２０７は、画像生成器５０３の画像ストアにアクセスして、識別されたデバイスに対応する第２の画像を抽出することができる。次いで、デバイスリーダ１０１のディスプレイ上に表示される第１の画像を生成することができ、これにより、ユーザに正確にデバイスを位置合わせさせることができる。
【０１７２】
一部の実施形態において、第１の画像の選択は、分離デバイス１０３からデータを読み取るようにアクティブ化されるユーザアプリケーションに基づいてもよい。例えばユーザが歯磨きデータをダウンロードして分析するアプリケーションを起動する場合、ディスプレイプロセッサ２０７は、ユーザの歯ブラシの画像を取り出し、これを提示することができる。
【０１７３】
更に他の実施形態では、適切な画像の選択は、ユーザ入力に基づいてもよい。実際、一部の実施形態では、ユーザはどの画像を使用すべきか直接選択することができる。
【０１７４】
一部の実施形態において、表示画像は、リモートサーバから受け取った画像から導出される。例えば第１又は第２の画像を、リモートサーバから受け取ることがある。例えば図６に図示されるように、デバイスリーダ１０１はネットワーク６０１に結合され、ネットワーク６０１はリモートサーバ６０３にも結合される。ネットワーク６０１は任意のネットワークであってよく、具体的には、インターネットであるかインターネットを備え得る。デバイスリーダ１０１は任意の適切な手段を通してネットワーク６０１に結合され得る。例えばデバイスリーダ１０１は、インターネット又はインターネットに接続される可能性のあるローカルエリアネットワーク（ＬＡＮ）と無線で結合するためのデータ通信機能を有するスマートフォンであってよい。
【０１７５】
例において、リモートサーバ６０３は、多数の異なるデバイスについての画像を含む、大きな画像ストアを備えることができる。加えて、ストアは、ＮＦＣアンテナが、デバイスの各々内で配置される場所を定義するデータを格納することができる。リモートサーバ６０３は、例えば任意の製造業者が関連する画像及びデータをストレージのためにサーバにアップロードすることを許容する、独立の第三者によって操作され得る。
【０１７６】
図７は、画像をリモートサーバ６０３から取得する実施形態についてのデバイスリーダ１０１の例を図示している。デバイスリーダ１０１は、図２のデバイスリーダ１０１に相当し得るが、リモートサーバ６０３から画像を取得するための機能を更に含む。
【０１７７】
図７のデバイスリーダ１０１は、デバイスリーダ１０１をネットワーク６０１へ結合するよう適合されるネットワークインタフェース７０１を備える。ネットワークインタフェース７０１は、ネットワーク６０１を介してリモートサーバ６０３と通信するために必要な機能又は所望の機能を含み得る。例えばネットワークインタフェース７０１は、デバイスリーダ１０１がインターネットを介して無線で通信することを可能にするために必要とされる、無線通信機能、ネットワークプロトコル機能等を含み得る。
【０１７８】
ネットワークインタフェース７０１は、メッセージ送信機７０３に結合され、メッセージ送信機７０３はデバイスコントローラ２０３に更に結合される。メッセージ送信機７０３は、要求メッセージを生成してリモートサーバ６０３に伝送するように適合される。要求メッセージは、リモートサーバ６０３が、画像をデバイスリーダ１０１へ戻すよう伝送することを要求する。したがって、要求メッセージを受け取ったことに応答して、リモートサーバ６０３は、ネットワーク６０１を介してデバイスリーダ１０１へ戻すようデータを伝送し、この場合、このデータは、分離デバイス１０３の画像を含み得る。したがって、デバイスリーダ１０１は、データ受信機７０５を更に備え、データ受信機７０５は、ネットワークインタフェース７０１及びディスプレイプロセッサ２０７に結合され、そして、リモートサーバ６０３からのデータを受け取り、包含されるデータを抽出し、これをディスプレイプロセッサ２０７へ転送するように適合される。
【０１７９】
一部の実施形態において、要求メッセージは、分離デバイス１０３の指示を含むことができる。例えばデバイス識別データが含まれ得る。このデバイス識別データは、例えば個々のデバイスのアイデンティティを示すことがあり、より典型的には、分離デバイス１０３のタイプ又はモデルの指示を提供し得る。例えば分離デバイス１０３の製造業者とモデル（例えば歯ブラシの製造業者とモデル番号等）を指定するデータを備える要求メッセージが、分離デバイス１０３に伝送され得る。
【０１８０】
分離デバイス１０３は、提供された識別データを使用して、適切な画像を見つけることができる。特に、その画像のストア中を検索し、識別データに合致する画像を見つけることができる。例えば指示された製造業者から、指示された歯ブラシモデルの画像を識別し、画像内のＮＦＣアンテナの位置の指示とともにデバイスリーダ１０１へ戻すよう通信することができる。
【０１８１】
データ受信機７０５から画像を受け取ると、ディスプレイプロセッサ２０７は続いて、画像がデバイスリーダ１０１内にローカルに記憶されている場合、以前に説明したように、表示すべき画像を生成することができる。したがって、第２の画像をローカルストレージから取り出すのではなく、デバイスリーダ１０１は、リモートサーバ６０３から第２の画像を受け取ることができる。そして、ローカルに記憶された画像からではなく、この第２の画像から第１の画像を生成することができる。
【０１８２】
認識されるように、ローカルストレージとリモートストレージの手法を組み合わせてもよい。例えばデバイスリーダ１０１は初めに、ローカルストアから適切な画像を取り出そうとすることがある。適切な画像が見つからない場合は、続いてリモートサーバ６０３にアクセスして、そこから画像を取り出すことになる。この受け取った第２の画像から第１の画像を生成することに加えて、デバイスリーダ１０１は、これを将来の使用のためにローカルに記憶してもよい。
【０１８３】
一部の実施形態において、デバイスリーダ１０１は、分離デバイス１０３の識別データに加えて、デバイスリーダ１０１自体を特徴付けるデータも伝送することがある。このデータは、例えばデバイスリーダ１０１のタイプ又はモデルを識別する識別データであるか、あるいはデバイスの１つ以上の特性を指示するデータであってよい。例えばデータはディスプレイの物理的なサイズ及びピクセル解像度を含み得る。加えて、対応するデバイスリーダアンテナ位置が提供され得る。
【０１８４】
そのような実施形態において、リモートサーバ６０３は、提供された情報を使用して、デバイスリーダ１０１の特有の特性に適合される画像を生成することができる。したがって、このシナリオでは、リモートサーバ６０３は特定の分離デバイス１０３とデバイスリーダ１０１との組合せについて特有の画像を返すことができる。多くの実施形態では、画像は、デバイスリーダ１０１によって受け取られるとおりに表示され得る。したがって、そのような実施形態では、リモートサーバ６０３は、ディスプレイプロセッサ２０７による表示のために準備した第１の画像を直接提供することができる。
【０１８５】
一部の実施形態において、要求メッセージは、デバイスリーダ１０１の特性の指示を備えるが、分離デバイス１０３についていずれの指示も含まないことがある。これは、例えばリモートサーバ６０３が１つの特定の分離デバイスに対して専用であるが、異なるデバイスリーダの範囲に適した画像を提供する場合である。
【０１８６】
例えばサーバは、特定の歯ブラシの製造業者によって設定され得る。加えて、アプリケーションが１つのデバイスリーダ１０１のみに対して特有でない場合、アプリケーションは複数の歯ブラシユーザに提供され得る。例えば異なるスマートフォンの範囲にダウンロードすることができるAndroid（登録商標）又はiOSアプリケーションが公開され得る。歯ブラシデータを分析するようアプリケーションを実行している所与のスマートフォンは、次いで、要求メッセージをサーバに送信することができ、この場合、要求メッセージは、使用される特定のスマートフォンの指示を含む。これに応答して、サーバは、そのスマートフォンに対して最適化された歯ブラシの画像を取得し、これをスマートフォンに送信することができる。スマートフォンは、受け取った画像をディスプレイ上に直接提示することができる。歯ブラシをディスプレイ上の画像と位置合わせすることにより、ＮＦＣアンテナが位置合わせされることになり、最適なＮＦＣデータ交換を達成することができる。
【０１８７】
図８は、リモートサーバの要素の例を示しており、リモートサーバは具体的には、図１に図示されるリモートサーバ６０３であってよい。リモートサーバ６０３は、特定の例ではデバイスリーダ１０１によって直接使用され得る画像をデバイスリーダ１０１へ提供することができる、すなわち、リモートサーバ６０３によって提供される画像は、デバイスリーダ１０１に対して既にカスタマイズされており、特定の例では、デバイスリーダ１０１と分離デバイス１０３との特定の組合せに対してカスタマイズされる。したがって、特定の例では、分離デバイス１０３は、第１の画像（すなわち、ディスプレイ及びアンテナ位置の位置合わせに対してカスタマイズされる画像）をデバイスリーダ１０１に提供する。
【０１８８】
分離デバイス１０３は、分離デバイス１０３をネットワーク６０１へインタフェースするネットワークインタフェース８０１を備え、特定の例では、分離デバイス１０３をインターネットへインタフェースするために必要な機能を備える。
【０１８９】
ネットワークインタフェース８０１は、デバイスリーダ１０１から要求メッセージを受け取るメッセージ受信機８０３に結合される。続いて、要求メッセージのデータを抽出するが、特定の例では、デバイスリーダ１０１及び分離デバイス１０３についての識別データを抽出する。
【０１９０】
メッセージ受信機８０３は、識別データを受け取る画像取得器８０５に結合される。画像取得器８０５は画像ストア８０７に結合され、画像ストア８０７は、デバイスリーダとともに使用され得る異なるデバイスの画像についての場合によっては大きいデータベースを備える。例えばデータベースは、歯ブラシ、ブレンダ、ウォッシングマシーン等の画像を備えてよく、これらの画像は、ＮＦＣ通信リンクを介して通信することが可能である。
【０１９１】
一部の実施形態において、データベースは、可能性のある各デバイスについて複数の画像を備えてよく、実際、特定のデバイスリーダについて既にカスタマイズされている画像を備えてもよい。例えば所与のデバイス、例えば歯ブラシの画像が、異なるスマートフォンの範囲について格納されてもよい。
【０１９２】
受け取った識別データに基づいて、画像取得器８０５は、画像ストア８０７から対応する画像を取得し始める。特に、分離デバイスの識別データによって識別されるデバイスに対応する画像が、データベースから抽出される。異なるデバイスリーダについて複数の画像が格納されている場合、画像取得器８０５は、デバイスリーダの識別データに対応する画像を更に選択することができる。特定のデバイスリーダについて合致が見つかる場合、デフォルトの画像が取得され得る。
【０１９３】
一部の実施形態について、取得した画像は、分離デバイス１０３においていかなる修正又は画像処理も行うことなく、デバイスリーダ１０１へ戻るよう伝送され得る。画像が、特定のデバイスリーダ１０１に対してカスタマイズされていないデフォルトの画像である場合、これは、第２の（カスタマイズされていない）画像をデバイスリーダ１０１へ伝送することに対応し、デバイスリーダ１０１は続いて、以前に説明したようにこの第２の画像をカスタマイズすることができる。しかしながら、画像が、特定のデバイスリーダ１０１に対して既にカスタマイズされている画像の場合、これは、デバイスリーダ１０１への第１の画像の伝送に対応すると考えられ、この場合、第１の画像を直接使用することができる。
【０１９４】
しかしながら、図８の例では、画像取得器８０５は画像プロセッサ８０９に結合されており、画像プロセッサ８０９は、画像を特定のデバイスリーダ１０１に対してカスタマイズするために、取得した画像に画像処理を適用するように適合される（取得した画像が既にカスタマイズされていた場合は、画像プロセッサ８０９は、何ら画像処理を適用することなく、画像を単に転送してよい）。
【０１９５】
例において、画像プロセッサ８０９は、したがって、特定のデバイスリーダ１０１に対してカスタマイズされていない第２の画像を受け取り、この画像から、特定のデバイスリーダ１０１に対してカスタマイズされる第１の画像を生成する。画像プロセッサ８０９によって実行される画像処理は、デバイスリーダ１０１のアンテナ１０５の第１の画像アンテナ位置と、分離デバイス１０３のアンテナ１０７の第２の画像アンテナ位置と、ディスプレイ特性とに基づく。特に、画像プロセッサ８０９は、第２の画像アンテナ位置のための第１の画像内の目標位置として第１の画像アンテナ位置を使用して、第１の画像を生成することができる。
【０１９６】
第１の画像アンテナ位置は、ディスプレイ上のピクセル位置として要求メッセージ内で提供され得る。ディスプレイ特性は、特に、デバイスリーダ１０１のディスプレイのサイズ、ピクセル解像度又はピクセルサイズであってよく、要求メッセージ内のデータによって提供されてもよい。
【０１９７】
一部の実施形態において、分離デバイス１０３自体が、第１の画像アンテナ位置及び／又は特定のデバイスリーダ１０１のディスプレイ特性を決定するように適合され得る。例えば画像プロセッサ８０９は、（多数のスマートフォンのような）多数の可能性のあるデバイスリーダについて、ディスプレイサイズ、解像度及び適切なＮＦＣアンテナ位置を特徴付けるデータを備えるデータベースを備えることができる。画像プロセッサ８０９は、したがって、デバイスリーダの識別データによって識別される特定のデバイスリーダタイプについて、格納済みのデータを抽出することができる。
【０１９８】
第２の画像アンテナ位置は典型的に、画像ストア８０７内にデバイス画像とともに格納されてよく、したがって、画像取得器８０５によって画像とともに取り出され得る。
【０１９９】
画像プロセッサ８０９は続いて、取り出された第２の（カスタマイズされていない）画像から、第１の（カスタマイズされた）画像を生成することができる。画像プロセッサ８０９は続いて、特に、画像プロセッサ５０１について以前に説明したように、第１の画像において、第２の画像の少なくとも一部をスケーリング、回転し、配置することができる。
【０２００】
結果として得られる第１の画像は、次いで画像送信機８１１に供給され、画像送信機８１１は、ネットワークインタフェース８０１に結合されて、第１の画像をデバイスリーダ１０１に伝送するように適合される。デバイスリーダ１０１は、画像処理を実行する必要なく、第１の画像を直接使用して、その画像を特定のデバイスリーダ１０１に対してカスタマイズすることができる。
【０２０１】
画像を提供するリモートサーバの使用は、単一の中央サーバが多数のデバイスリーダをサポートすることを可能にするので、多くの実施形態において有利である。これは、例えば個々のデバイスリーダにおけるメモリ要件を実質的に低減させることができ、計算負荷も低減することができる。さらに、アンテナ位置に関する情報並びに適切な画像の提供と分散を容易にすることができる。例えばＮＦＣをサポートするデバイスの製造業者は、単に画像及び関連情報を１つの中央サーバにアップロードすることができる。
【０２０２】
以前に、カスタマイズされた画像をどのように生成することができるかについての具体的な例を幾つか説明した。カスタマイズされた画像は、デバイスリーダ１０１のディスプレイ上に提示されると、ディスプレイ上の画像と位置合わせされるよう分離デバイスを配置したことにより、デバイスリーダのＮＦＣアンテナと分離デバイスのＮＦＣアンテナが相互に位置合わせされることになるように、生成される。特に、位置合わせは、カスタマイズされた画像が表示されるときに、デバイスリーダアンテナ位置と第１画像アンテナ位置との間の距離が実質的に最小になるように行われる。表示されるべき画像のカスタマイズは、特に、デバイスリーダアンテナ位置と第２の画像アンテナ位置が一致するように行われる。一部の実施形態又はシナリオでは、第１の画像アンテナ位置と第２の画像アンテナ位置との間の距離は、他の基準又は要件の対象となり得る。
【０２０３】
以前に説明したように、カスタマイズされた画像は、カスタマイズされていない画像から、例えば変換、回転及びスケーリングを実行することによって生成され得る。さらに、画像操作は、ディスプレイのサイズ、ディスプレイの向き、ディスプレイの解像度及び／又はディスプレイのピクセルサイズのような、様々なディスプレイプロパティに依存し得る。
【０２０４】
しかしながら、認識されるように、異なる画像処理操作が、異なる実施形態において、異なる画像及びディスプレイについて適用されてよい。実際、可能性のある画像処理アプローチの様々な具体的な例が説明されるが、これらは単なる例示であって、他の実施形態では他のアプローチを使用してもよいことが認識されよう。
【０２０５】
例えばカスタマイズされた画像は、デバイスリーダ１０１がＮＦＣトランザクションに最適な方法で配置されるときに画像が分離デバイス１０３と同じスケール／サイズを有するような方法による画像のスケーリングによって、カスタマイズされていない画像から生成されてよい。例えば分離デバイス１０３が歯ブラシであり、その本体の一部がディスプレイ上に表示されているとき、ディスプレイ上に表示される本体の幅（ｍｍ単位）は、製品サイズの（視覚的に知覚される）幅と同様である。また、製品にパターンが存在するとき、（例えばＸ、Ｙ方向の）スケーリングは、パターンのアスペクト比が同じであるように実行される。
【０２０６】
別の例として、画像のトランザクションを使用して、アンテナが分離デバイス１０３の内部のアンテナの上のデバイスリーダ内に配置される場所にスポットを配置するようユーザにガイドするように、デバイスリーダのディスプレイ上に画像を配置してよい。例えばタブレットは、実際のアンテナの側面（side）よりもかなり大きい製品本体及びディスプレイを有することがある。画像を、アンテナが配置される、例えば角の部分に移すことによって、ユーザはタブレットの内部のアンテナの位置を理解するであろう。異なるタブレットタイプ、サイズ及び適用されるＮＦＣ技術では、アンテナサイズ、位置及び方向さえも異なる可能性がある。
【０２０７】
典型的に、例えばスマートフォンを一方向で、いわゆるランドスケープモードで使用するとき、画像は、アンテナがこの方向について正しく位置合わせされるような方法で回転され得る。スマートフォンが方向をシフトする場合、例えばポートレートモードへシフトする場合、画像はこれに応じて回転され得る。他に対して一方向を使用することはしばしばより有利であり、これに応じて画像を回転させることにより、向上したユーザ経験を達成することができる。
【０２０８】
認識されるように、簡単なスケーリング、変換又は回転以外の他の画像操作を使用してもよい。例えばアンテナがデバイスリーダの内部（例えば腕時計内）で曲がっている場合や、アンテナが配置されている分離デバイス１０３に傾斜又はカーブがある場合、アンテナは平らではない。そのような場合、例えばアファイン又は投影画像変換を使用して、（デバイスリーダのディスプレイ上の画像と、分離デバイスの）全体的な視覚的表現が直感的に整合するような方法で、モバイルデバイス上のガイド画像を修正することが可能である。アファイン変換では、例えば画像を歪曲させることや、スクエア画像を台形形状に変えることができる。
【０２０９】
以上の説明では、スマートフォン（の一部）や同様のデバイスであるデバイスリーダに焦点を当てているが、認識されるように、デバイスリーダは任意の適切なデバイスであってよく、あるいは任意の適切なデバイスの一部であってよい。例えば時計やブレスレット、電子インクデバイス／デジタルペーパー、スクリーンのあるクレジットサイズのデバイス等であってよい。
【０２１０】
認識されるように、上記の説明は明確性のために、異なる機能回路、ユニット及びプロセッサとの関連で本発明の実施形態を説明してきた。しかしながら、認識されるように、異なる機能回路、ユニット又はプロセッサの間における機能の任意の適切な分散は、本発明から逸脱することなく使用され得る。例えば別個のプロセッサ又はコントローラによって実行されるように示される機能が、同じプロセッサ又はコントローラによって実行されてもよい。したがって、特定の機能ユニット又は回路への言及は、厳格な論理的又は物理的構造又は編成を示すものではなく、単に説明される機能を提供するための適切な手段への言及として理解されるべきである。
【０２１１】
本発明は、ハードウェア、ソフトウェア、ファームウェア又はこれらの任意の組合せを含む、任意の適切な形式で実装され得る。本発明は、任意選択により、少なくとも部分的に、１つ以上のデータプロセッサ及び／又はデジタル信号プロセッサ上で動作するコンピュータソフトウェアとして実装され得る。本発明の実施形態の要素及びコンポーネントは、任意の適切な方法で物理的、機能的及び論理的に実装され得る。実際、機能は、単一のユニットで実装されても、複数のユニットで実装されても、あるいは他の機能ユニットの一部として実装されてもよい。したがって、本発明は、単一のユニットで実装されてもよく、異なるユニット、回路及びプロセッサ間に物理的かつ機能的に分散されてもよい。
【０２１２】
本発明は、幾つかの実施形態との関連で説明されているが、本明細書で説明される具体的な形式に限定されるように意図されていない。むしろ、本発明の範囲は、添付の特許請求の範囲によってのみ限定される。加えて、ある特徴が特定の実施形態との関連で説明されるよう見えるが、当業者には、説明される実施形態の様々な特徴が、本発明に従って組み合わせられてよいことが理解されよう。特許請求の範囲において、備える（comprising）という用語は、他の要素又はステップの存在を除外しない。
【０２１３】
さらに、個々に列挙されるが、複数の手段、要素、回路又は方法のステップは、例えば単一の回路、ユニット又はプロセッサによって実装されてもよい。加えて、個々の特徴が異なる請求項に含まれ得るが、これらを有利に組み合わせることも可能であり、異なる請求項に含まれることは、特徴の組合せが実現可能でないか、かつ／又は有利でないことを示唆しない。ある特徴が、あるカテゴリの請求項に含まれることは、このカテゴリへの限定を示唆するものではなく、むしろ、適切である場合、この特徴が、他の請求項のカテゴリにも等しく適用可能であることを示す。さらに、請求項における特徴の順序は、その特徴が機能しなければならない具体的な順序を示唆するものではなく、特に、方法の請求項における個々のステップの順序は、この順序でステップが実行されなければならないことを示唆するものではない。むしろ、ステップは任意の適切な順序で実行され得る。加えて、単数形の言及は複数を除外しない。したがって、「ある」（「a」、「an」）、「第１」、「第２」等への言及は、複数を排除しない。特許請求の範囲における参照符号は、単に明確にする例として与えられており、いかなる方法においても特許請求の範囲を限定するものとして解釈されるべきではない。
【図１】
2016528592.tif 000003
【図２】
2016528592.tif 000004
【図３】
2016528592.tif 000005
【図４】
2016528592.tif 000006
【図５】
2016528592.tif 000007
【図６】
2016528592.tif 000008
【図７】
2016528592.tif 000009
【図８】
2016528592.tif 000010
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
分離デバイスからデータを受け取るデバイスリーダであって、当該デバイスリーダは：
ディスプレイと；
前記分離デバイスからデータを受け取る第１のアンテナであって、前記ディスプレイに対してデバイスリーダアンテナ位置を有する第１のアンテナと；
前記ディスプレイ上に、前記分離デバイスの少なくとも一部の第１の画像を表示するディスプレイプロセッサであって、前記第１の画像は、前記分離デバイスにおけるアンテナの前記第１の画像内の位置に対応する関連する第１の画像アンテナ位置を有し、前記ディスプレイプロセッサは、前記第１の画像アンテナ位置が前記デバイスリーダアンテナ位置と位置合わせされるように前記第１の画像を表示するよう適合される、ディスプレイプロセッサと；
前記分離デバイスの少なくとも一部の第２の画像を提供する画像生成器であって、前記第２の画像は、前記分離デバイスにおける前記アンテナの前記第２の画像内の位置に対応する関連する第２の画像アンテナ位置を有する、画像生成器と；
前記デバイスリーダアンテナ位置、前記第２の画像アンテナ位置及び前記ディスプレイのディスプレイプロパティに応じて前記第２の画像から前記第１の画像を生成する、画像プロセッサと；
を備える、デバイスリーダ。
【請求項２】
当該デバイスリーダと前記分離デバイスとの少なくとも一方の指示をリモートサーバに伝送する、送信機と；
前記リモートサーバから前記第２の画像を受け取る、受信機と；
を更に備える、請求項１に記載のデバイスリーダ。
【請求項３】
当該デバイスリーダと前記分離デバイスとの少なくとも一方の指示をリモートサーバに伝送する、送信機と；
前記リモートサーバから前記第１の画像を受け取る、受信機と；
を更に備える、請求項１に記載のデバイスリーダ。
【請求項４】
前記ディスプレイプロセッサは、当該デバイスリーダの動きとは独立に、前記第１の画像を表示するように適合される、
請求項１に記載のデバイスリーダ。
【請求項５】
前記第１の画像は静止画像である、
請求項１に記載のデバイスリーダ。
【請求項６】
前記第１の画像アンテナ位置と前記デバイスリーダアンテナ位置との間の位置合わせは、当該デバイスリーダの位置及び前記分離デバイスの位置とは独立である、
請求項１に記載のデバイスリーダ。
【請求項７】
前記第１の画像は、前記分離デバイスが当該デバイスリーダの正面に配置されて前記第１の画像アンテナ位置が前記デバイスリーダアンテナ位置と位置合わせされるときに、前記ディスプレイ上に投影される前記分離デバイスの輪郭に対応する、前記分離デバイスの少なくとも一部の輪郭の表現を備える、
請求項１に記載のデバイスリーダ。
【請求項８】
デバイスリーダのディスプレイに表示するための第１の画像を生成する装置であって、前記デバイスリーダは、分離デバイスからデータを受け取る第１のアンテナを更に備え、前記第１のアンテナは、前記第１の画像内に第１の画像アンテナ位置を有し、当該装置は：
前記分離デバイスの少なくとも一部の第２の画像を提供する画像生成器であって、前記第２の画像は、前記分離デバイスにおけるアンテナの前記第２の画像内の位置に対応する関連する第２の画像アンテナ位置を有する、画像生成器と；
前記第１の画像アンテナ位置、前記第２の画像アンテナ位置及び前記ディスプレイのディスプレイプロパティに応じて前記第２の画像から前記第１の画像を生成する、画像プロセッサと；
を備える、装置。
【請求項９】
前記画像プロセッサは、前記第２の画像アンテナ位置を含む前記第２の画像の一部を含むように前記第１の画像を生成するように適合され、前記第２の画像の前記一部は、前記第１の画像内における前記第１の画像アンテナ位置と前記第２の画像アンテナ位置との間の距離を実質的に最小にするように配置される、
請求項８に記載の装置。
【請求項１０】
前記画像プロセッサは、前記第２の画像の少なくとも一部に画像操作を適用した後、前記第２の画像の前記少なくとも一部を前記第１の画像内に含めるように適合され、前記画像操作は：
変換；
回転；及び
スケーリング；
のグループから選択される、
請求項８に記載の装置。
【請求項１１】
前記ディスプレイプロパティは：
前記ディスプレイのサイズ；
前記ディスプレイのピクセルサイズ；
前記ディスプレイの向き；及び
前記ディスプレイの解像度；
のグループから選択される少なくとも１つのプロパティを備える、
請求項８に記載の装置。
【請求項１２】
当該装置は、前記デバイスリーダとはリモートであり、前記第２の画像を前記デバイスリーダに伝送するように適合される送信機を更に備える、
請求項８に記載の装置。
【請求項１３】
前記デバイスリーダから、前記デバイスリーダの指示を受け取るように適合される受信機を更に備え、前記画像プロセッサは、前記指示に応じて前記ディスプレイプロパティを決定するように適合される、
請求項８に記載の装置。
【請求項１４】
前記デバイスリーダから、前記分離デバイスの指示を受け取るように適合される受信機を更に備え、前記画像生成器は、前記指示に応じて前記第２の画像を生成するように適合される、
請求項８に記載の装置。
【請求項１５】
当該装置は、前記デバイスリーダ内に設けられる、
請求項８に記載の装置。
【請求項１６】
分離デバイスからデータを受け取るように作動可能なデバイスリーダであって、ディスプレイと、前記分離デバイスからデータを受け取り、前記ディスプレイに対するデバイスリーダアンテナ位置を有する第１のアンテナとを備える、デバイスリーダの作動方法であって、当該方法は：
前記ディスプレイ上に、前記分離デバイスの第１の画像を表示するステップであって、前記第１の画像は、前記分離デバイスにおけるアンテナの位置に対応する関連する第１の画像アンテナ位置を有し、前記第１の画像は、前記第１の画像アンテナ位置が前記デバイスリーダアンテナ位置と位置合わせされるように表示される、ステップと；
前記分離デバイスの少なくとも一部の第２の画像を提供するステップであって、前記第２の画像は、前記分離デバイスにおける前記アンテナの前記第２の画像内の位置に対応する関連する第２の画像アンテナ位置を有する、ステップと；
前記第１の画像アンテナ位置、前記第２の画像アンテナ位置及び前記ディスプレイのディスプレイプロパティに応じて前記第２の画像から前記第１の画像を生成するステップと；
を備える、方法。
【請求項１７】
デバイスリーダのディスプレイに表示するための第１の画像を生成する方法であって、前記デバイスリーダは、分離デバイスからデータを受け取る第１のアンテナを備え、前記第１のアンテナは、前記第１の画像内に第１の画像アンテナ位置を有し、当該方法は：
前記分離デバイスの少なくとも一部の第２の画像を提供するステップであって、前記第２の画像は、前記分離デバイスにおけるアンテナの前記第２の画像内の位置に対応する関連する第２の画像アンテナ位置を有する、ステップと；
前記第１の画像アンテナ位置、前記第２の画像アンテナ位置及び前記ディスプレイのディスプレイプロパティに応じて前記第２の画像から前記第１の画像を生成するステップと；
を備える、方法。
【請求項１８】
コンピュータ上で実行されると、請求項１４又は１５に記載のステップの全てを実行するように適合される、コンピュータプログラムコード。
【請求項１９】
コンピュータ上で実行されると、請求項１６又は１７に記載のステップの全てを実行するように適合されるコンピュータプログラムコードを備えるコンピュータプログラム。
【手続補正２】
【補正対象書類名】明細書
【補正対象項目名】００１４
【補正方法】変更
【補正の内容】
【００１４】
したがって、本発明の態様によると、分離デバイスからデータを受け取るデバイスリーダが提供される。デバイスリーダは：ディスプレイと；分離デバイスからデータを受け取る第１のアンテナであって、ディスプレイに対してデバイスリーダアンテナ位置を有する第１のアンテナと；ディスプレイ上に、分離デバイスの少なくとも一部の第１の画像を表示するためのディスプレイプロセッサであって、第１の画像は、分離デバイスにおけるアンテナの第１の画像内の位置に対応する関連する第１の画像アンテナ位置を有し、第１の画像アンテナ位置がデバイスリーダアンテナ位置と位置合わせされるよう第１の画像を表示するように適合される、ディスプレイプロセッサと；分離デバイスの少なくとも一部の第２の画像を提供する画像生成器であって、第２の画像は、分離デバイスにおけるアンテナの第２の画像内の位置に対応する関連する第２の画像アンテナ位置を有する、画像生成器と；デバイスリーダアンテナ位置、第２の画像アンテナ位置及びディスプレイのディスプレイプロパティに応じて第２の画像から第１の画像を生成する、画像プロセッサと；を備える。
【手続補正３】
【補正対象書類名】明細書
【補正対象項目名】００２７
【補正方法】変更
【補正の内容】
【００２７】
デバイスリーダは：分離デバイスの少なくとも一部の第２の画像を提供する画像生成器であって、第２の画像が、分離デバイスにおけるアンテナの第２の画像内の位置に対応する関連する第２の画像アンテナ位置を有する、画像生成器と；デバイスリーダアンテナ位置、第２の画像アンテナ位置及びディスプレイのディスプレイプロパティに応じて第２の画像から第１の画像を生成する、画像プロセッサと；を更に備える。
【手続補正４】
【補正対象書類名】明細書
【補正対象項目名】００８２
【補正方法】変更
【補正の内容】
【００８２】
本発明の態様によると、分離デバイスからデータを受け取るように作動可能なディスプレイリーダであって、ディスプレイと、分離デバイスからデータを受け取り、ディスプレイとの関連でデバイスリーダアンテナ位置を有する第１のアンテナとを備えるデバイスリーダの作動方法が提供され、当該方法は：ディスプレイ上に、分離デバイスの第１の画像を表示するステップであって、第１の画像は、分離デバイスにおけるアンテナの位置に対応する関連する第１の画像アンテナ位置を有し、第１の画像は、第１の画像アンテナ位置がデバイスリーダアンテナ位置と位置合わせされるように表示される、ステップと；分離デバイスの少なくとも一部の第２の画像を提供するステップであって、第２の画像は、分離デバイスにおけるアンテナの第２の画像内の位置に対応する関連する第２の画像アンテナ位置を有する、ステップと；第１の画像アンテナ位置、第２の画像アンテナ位置及びディスプレイのディスプレイプロパティに応じて第２の画像から第１の画像を生成するステップと；を備える。
【国際調査報告】
2016528592.tif 000011
2016528592.tif 000012
2016528592.tif 000013